(57)【特許請求の範囲】
【請求項１】
通信の方法であって、
第１のアクセスポイントの近くに配置されたアクセス端末を、前記第１のアクセスポイントによって、検出することと、ここにおいて、前記アクセス端末は、第２のアクセスポイントと通信する、
前記アクセス端末が前記第２のアクセスポイントと通信するダウンリンクキャリア周波数を、前記第１のアクセスポイントによって、識別することと、
前記アクセス端末の前記検出の結果として、前記識別されたダウンリンクキャリア周波数で送信を、前記第１のアクセスポイントによって、制限することと、
を含む通信の方法。
【請求項２】
前記アクセス端末の前記検出は、前記アクセス端末が前記ダウンリンクキャリア周波数で前記第１のアクセスポイントによって送信されるビーコンからの干渉に従うことを決定することを含む、請求項１の方法。
【請求項３】
前記アクセス端末の前記検出は、前記アクセス端末が前記第１のアクセスポイントからハンドオーバ中、またはハンドオーバされたことを決定することを含む、請求項１の方法。
【請求項４】
前記アクセス端末の前記検出は、
アップリンクキャリア周波数で受信信号強度を測定することと、
前記測定された受信信号強度を閾値と比較することと、
を含む、請求項１の方法。
【請求項５】
前記測定された受信信号強度が前記閾値より大きいまたは等しい場合、前記ダウンリンクキャリア周波数の前記識別は、前記アップリンクキャリア周波数と対になるダウンリンクキャリア周波数を識別することを含む、請求項４の方法。
【請求項６】
受信信号強度の前記測定の時刻をビーコン送信時刻と同期することをさらに含む、請求項４の方法。
【請求項７】
前記閾値を決定することをさらに含む請求項４の方法であって、前記閾値は、
前記第１のアクセスポイントと前記アクセス端末との間で許可されるパス損失、および
前記第２のアクセスポイントと通信するために前記アクセス端末によって使用される推定された送信電力、
に基づく、請求項４の方法。
【請求項８】
前記閾値を決定することをさらに含む請求項４の方法であって、前記閾値は、
時間期間内、前記アップリンクキャリア周波数で受信信号強度を測定することと、
前記時間期間内の受信信号強度の前記測定に基づいて基準受信信号強度を計算することと、
前記基準受信信号強度に基づいて前記閾値を決定することと、
によって決定される、請求項４の方法。
【請求項９】
前記閾値を決定することをさらに含む請求項４の方法であって、前記閾値は、
前記アクセス端末が前記第１のアクセスポイントからハンドオーバされたことを決定することと、
前記アクセス端末がハンドオーバされた前記決定の結果として、前記アップリンクキャリア周波数で受信信号強度を測定することと、
前記アクセス端末がハンドオーバされた前記決定の結果として、受信信号強度の前記測定に基づく前記閾値を決定すること、
によって決定される、請求項４の方法。
【請求項１０】
前記アクセス端末の前記検出は、前記アクセス端末からパイロット信号を検出するために拡散コードを使用することを含む、請求項１の方法。
【請求項１１】
前記第１のアクセスポイントが前記識別されたダウンリンクキャリア周波数でアクセス端末にサービスを提供することを決定することをさらに含む請求項１の方法であって、前記アクセス端末の前記検出は、
前記ダウンリンクキャリア周波数に関連したアップリンクキャリア周波数でセル外干渉を測定することと、
前記セル外干渉を閾値と比較することと、
を含む、請求項１の方法。
【請求項１２】
送信の前記制限は、前記識別されたダウンリンクキャリア周波数で前記第１のアクセスポイントによるビーコン送信を一時的に制限することを含む、請求項１の方法。
【請求項１３】
送信の前記制限は、前記識別されたダウンリンクキャリア周波数で前記第１のアクセスポイントによって使用される送信電力を一時的に低減することを含む、請求項１の方法。
【請求項１４】
前記低減された送信電力についての最大の送信電力値は、アップリンクキャリア周波数で受信信号強度の測定に基づいて特定される、請求項１３の方法。
【請求項１５】
送信の前記制限は、前記第１のアクセスポイントが前記識別されたダウンリンクキャリア周波数で信号を送信する周期性を低減することを含む、請求項１の方法。
【請求項１６】
送信の前記制限は、前記第１のアクセスポイントが前記識別されたダウンリンクキャリア周波数でビーコン信号を送信する頻度を低減することを含む、請求項１の方法。
【請求項１７】
送信の前記制限は、前記識別されたダウンリンクキャリア周波数で前記第１のアクセスポイントによる送信を一時的に中断することを含む、請求項１の方法。
【請求項１８】
送信の前記制限は、定義された時間期間行われる、請求項１の方法。
【請求項１９】
前記ダウンリンクキャリア周波数に関連したアップリンクキャリア周波数で受信信号強度を測定することと、
前記測定された受信信号強度が閾値より小さいまたは等しいことを決定することと、
前記測定された受信信号強度が前記閾値より小さいまたは等しい前記決定の結果として、送信の前記制限を終了することと、
をさらに含む請求項１の方法。
【請求項２０】
通信のための装置であって、
前記装置の近くに配置されたアクセス端末を検出するように動作可能で、ここにおいて、前記アクセス端末は、アクセスポイントと通信する、前記アクセス端末が前記アクセスポイントと通信する、ダウンリンクキャリア周波数を識別するようにさらに動作可能な検出コントローラと、
前記アクセス端末の前記検出の結果として、前記識別されたダウンリンクキャリア周波数で前記装置による送信を制限するように動作可能な送信コントローラと、
を備える通信のための装置。
【請求項２１】
前記アクセス端末の前記検出は、前記アクセス端末が前記ダウンリンクキャリア周波数で前記第１のアクセスポイントによって送信されるビーコンからの干渉に従うことを決定することを備える、請求項２０の装置。
【請求項２２】
前記アクセス端末の前記検出は、前記アクセス端末が前記第１のアクセスポイントからハンドオーバ中、またはハンドオーバされたことを決定することを備える、請求項２０の装置。
【請求項２３】
前記アクセス端末の前記検出は、
アップリンクキャリア周波数で受信信号強度を測定することと、
前記測定された受信信号強度を閾値と比較することと、
を備える、請求項２０の装置。
【請求項２４】
前記測定された受信信号強度が前記閾値より大きいまたは等しい場合、前記ダウンリンクキャリア周波数の前記識別は、前記アップリンクキャリア周波数と対になるダウンリンクキャリア周波数を識別することを備える、請求項２３の装置。
【請求項２５】
前記検出コントローラは、受信信号強度の前記測定の時刻をビーコン送信時刻と同期するようにさらに動作可能である、請求項２３の装置。
【請求項２６】
前記検出コントローラは、前記閾値を決定するようにさらに動作可能であって、前記閾値は、
前記アクセスポイントと前記アクセス端末との間で許可されるパス損失と、
前記第２のアクセスポイントと通信するために前記アクセス端末によって使用される推定された送信電力と
に基づく、請求項２３の装置。
【請求項２７】
前記検出コントローラは、前記閾値を決定するようにさらに動作可能であって、前記閾値は、
時間期間内、前記アップリンクキャリア周波数で受信信号強度を測定することと、
前記時間期間内の受信信号強度の前記測定に基づいて基準受信信号強度を計算することと、
前記基準受信信号強度に基づいて前記閾値を決定することと、
によって決定される、請求項２３の装置。
【請求項２８】
前記検出コントローラは、前記閾値を決定するようにさらに動作可能であって、前記閾値は、
前記アクセス端末が前記第１のアクセスポイントからハンドオーバされたことを決定することと、
前記アクセス端末がハンドオーバされた前記決定の結果として、前記アップリンクキャリア周波数で受信信号強度を測定することと、
前記アクセス端末がハンドオーバされた前記決定の結果として、受信信号強度の前記測定に基づく前記閾値を決定することと、
によって決定される、請求項２３の装置。
【請求項２９】
前記アクセス端末の前記検出は、前記アクセス端末からパイロット信号を検出するために拡散コードを使用することを備える、請求項２０の装置。
【請求項３０】
前記検出コントローラは、前記第１のアクセスポイントが前記識別されたダウンリンクキャリア周波数でアクセス端末にサービスを提供することを決定するようにさらに動作可能であり、
前記アクセス端末の前記検出は、
前記ダウンリンクキャリア周波数に関連したアップリンクキャリア周波数でセル外干渉を測定することと、前記セル外干渉を閾値と比較することとを含む、請求項２０の装置。
【請求項３１】
送信の前記制限は、前記識別されたダウンリンクキャリア周波数で前記第１のアクセスポイントによるビーコン送信を一時的に制限することを含む、請求項２０の装置。
【請求項３２】
送信の前記制限は、前記識別されたダウンリンクキャリア周波数で前記第１のアクセスポイントによって使用される送信電力を一時的に低減することを含む、請求項２０の装置。
【請求項３３】
前記低減された送信電力についての最大の送信電力値は、アップリンクキャリア周波数で受信信号強度の測定に基づいて特定される、請求項３２の装置。
【請求項３４】
送信の前記制限は、前記第１のアクセスポイントが前記識別されたダウンリンクキャリア周波数で信号を送信する周期性を低減することを含む、請求項２０の装置。
【請求項３５】
送信の前記制限は、前記第１のアクセスポイントが前記識別されたダウンリンクキャリア周波数でビーコン信号を送信する頻度を低減することを含む、請求項２０の装置。
【請求項３６】
送信の前記制限は、前記識別されたダウンリンクキャリア周波数で前記第１のアクセスポイントによる送信を一時的に中断することを含む、請求項２０の装置。
【請求項３７】
送信の前記制限は、定義された時間期間行われる、請求項２０の装置。
【請求項３８】
前記検出コントローラは、前記ダウンリンクキャリア周波数に関連したアップリンクキャリア周波数で受信信号強度を測定するようにさらに動作可能であり、
前記検出コントローラは、前記測定された受信信号強度が閾値より小さいまたは等しいことを決定するようにさらに動作可能であり、
前記送信コントローラは、前記測定された受信信号強度が前記閾値より小さいまたは等しい前記決定の結果として、送信の前記制限を終了するようにさらに動作可能である、
請求項２０の装置。
【請求項３９】
通信のための装置であって、
前記装置の近くに配置されたアクセス端末を検出する手段と、ここにおいて、前記アクセス端末は、アクセスポイントと通信する、
前記アクセス端末が前記アクセスポイントと通信するダウンリンクキャリア周波数を識別する手段と、
前記アクセス端末の前記検出の結果として、前記識別されたダウンリンクキャリア周波数で送信を制限する手段と、
を備える通信のための装置。
【請求項４０】
前記アクセス端末の前記検出は、前記アクセス端末が前記第１のアクセスポイントからハンドオーバ中、またはハンドオーバされたことを決定することを備える、請求項３９の装置。
【請求項４１】
前記アクセス端末の前記検出は、
アップリンクキャリア周波数で受信信号強度を測定することと、
前記測定された受信信号強度を閾値と比較することと、
を備える、請求項３９の装置。
【請求項４２】
前記測定された受信信号強度が前記閾値より大きいまたは等しい場合、前記ダウンリンクキャリア周波数の前記識別は、前記アップリンクキャリア周波数と対になるダウンリンクキャリア周波数を識別することを備える、請求項４１の装置。
【請求項４３】
送信の前記制限は、前記識別されたダウンリンクキャリア周波数で前記第１のアクセスポイントによるビーコン送信を一時的に制限することを備える、請求項３９の装置。
【請求項４４】
送信の前記制限は、前記識別されたダウンリンクキャリア周波数で前記第１のアクセスポイントによって使用される送信電力を一時的に低減することを備える、請求項３９の装置。
【請求項４５】
送信の前記制限は、前記第１のアクセスポイントが前記識別されたダウンリンクキャリア周波数でビーコン信号を送信する頻度を低減することを備える、請求項３９の装置。
【請求項４６】
送信の前記制限は、前記識別されたダウンリンクキャリア周波数で前記第１のアクセスポイントによる送信を一時的に中断することを備える、請求項３９の装置。
【請求項４７】
送信の前記制限は、定義された時間期間行われる、請求項３９の装置。
【請求項４８】
前記ダウンリンクキャリア周波数に関連したアップリンクキャリア周波数で受信信号強度を測定する手段と、
前記測定された受信信号強度が閾値より小さいまたは等しいことを決定する手段と、
前記測定された受信信号強度が前記閾値より小さいまたは等しい前記決定の結果として、送信の前記制限を終了する手段と、
をさらに備える請求項３９の装置。
【請求項４９】
コンピュータ読み取り可能記録媒体であって、
コンピュータに、
第１のアクセスポイントの近くに配置されたアクセス端末を、前記第１のアクセスポイントで検出させ、ここにおいて、前記アクセス端末は、第２のアクセスポイントと通信する、
前記アクセス端末が前記第２のアクセスポイントと通信するダウンリンクキャリア周波数を、前記第１のアクセスポイントで識別させ、
および、前記アクセス端末の前記検出の結果として、前記識別されたダウンリンクキャリア周波数で送信を、前記第１のアクセスポイントで制限させる
コードを含む、コンピュータ読み取り可能記録媒体。
【請求項５０】
前記アクセス端末の前記検出は、前記アクセス端末が前記第１のアクセスポイントからハンドオーバ中、またはハンドオーバされたことを決定することを備える、請求項４９のコンピュータ読み取り可能記録媒体。
【請求項５１】
前記アクセス端末の前記検出は、
アップリンクキャリア周波数で受信信号強度を測定することと、
前記測定された受信信号強度を閾値と比較することと、
を含む、請求項４９のコンピュータ読み取り可能記録媒体。
【請求項５２】
前記測定された受信信号強度が前記閾値より大きいまたは等しい場合、前記ダウンリンクキャリア周波数の前記識別は、前記アップリンクキャリア周波数と対になるダウンリンクキャリア周波数を識別することを含む、請求項５１のコンピュータ読み取り可能記録媒体。
【請求項５３】
送信の前記制限は、前記識別されたダウンリンクキャリア周波数で前記第１のアクセスポイントによるビーコン送信を一時的に制限することを含む、請求項４９のコンピュータ読み取り可能記録媒体。
【請求項５４】
送信の前記制限は、前記識別されたダウンリンクキャリア周波数で前記第１のアクセスポイントによって使用される送信電力を一時的に低減することを含む、請求項４９のコンピュータ読み取り可能記録媒体。
【請求項５５】
送信の前記制限は、前記第１のアクセスポイントが前記識別されたダウンリンクキャリア周波数でビーコン信号を送信する頻度を低減することを含む、請求項４９のコンピュータ読み取り可能記録媒体。
【請求項５６】
送信の前記制限は、前記識別されたダウンリンクキャリア周波数で前記第１のアクセスポイントによる送信を一時的に中断することを含む、請求項４９のコンピュータ読み取り可能記録媒体。
【請求項５７】
送信の前記制限は、定義された時間期間行われる、請求項４９のコンピュータ読み取り可能記録媒体。
【請求項５８】
前記コンピュータ可読媒体は、前記コンピュータに、
前記ダウンリンクキャリア周波数に関連したアップリンクキャリア周波数で受信信号強度を測定させ、
前記測定された受信信号強度が閾値より小さいまたは等しいことを決定させ、
および、前記測定された受信信号強度が閾値より小さいまたは等しい前記決定の結果として、送信の前記制限を終了させる
コードをさらに含む、請求項４９のコンピュータ読み取り可能記録媒体。
【発明の詳細な説明】
【優先権の主張】
【０００１】
本出願は、２００９年１１月６日に出願され、代理人整理番号  １００２５３Ｐ１の代理人に譲渡され、ここで参照によりここに組み込まれる開示の一般に認められる仮特許出願第６１／２５９，０１０号の優先権およびその利益を主張する。
【技術分野】
【０００２】
本出願は、一般に無線通信に関し、より具体的には、アクセスポイント送信を制御することに限定されない。
【背景技術】
【０００３】
無線通信ネットワークは、地理的領域内のユーザへ様々なタイプのサービス（例えば、ボイス、データ、マルチメディアサービス等）を提供するために、地理的な領域に配置され得る。典型的な実装（implementation）では、マクロネットワークによってサービスされる地理的領域内で動作するアクセス端末（例えば、携帯電話）のために無線の接続性を提供するために、マクロ・アクセスポイント（例えば、それぞれは１つまたは複数のセルを介してサービスを提供する）は、マクロネットワーク全体を通して分配される。
【０００４】
高レートおよびマルチメディアデータサービスの需要が急速に増えるとともに、向上したパフォーマンスを備えた効率的で強い通信システムを実現しようとする課題がある。従来のネットワークアクセスポイントを補うために（例えば、拡張されたネットワークカバレッジを提供するために）、小さなカバレッジのアクセスポイント（例えば、低電力アクセスポイント）は、家（ｓ）、会社位置（例えば、オフィス）、または他の位置の内部のアクセス端末へ、より多くの強い屋内の無線カバレッジまたは他のカバレッジを提供するために配置され得る。そのような小さなカバレッジ・アクセスポイントは、例えば、フェムトセル、フェムト・アクセスポイント、ホームＮｏｄｅＢ（ｓ）、ホームｅＮｏｄｅＢ（ｓ）、またはアクセスポイント基地局と呼ばれる。典型的には、そのような小さなカバレッジ・アクセスポイントは、ＤＳＬルーターまたはケーブルモデムを介してインターネットおよびモバイルオペレータネットワークへ接続される。便宜上、小さなカバレッジ・アクセスポイントは、以下の議論ではフェムトセルまたはフェムト・アクセスポイントと呼ばれる。
【０００５】
フェムトセルは隣接するマクロセルによって使用されるキャリア周波数とは異なるキャリア周波数上に配置されるとき、フェムトセルはマクロセルキャリア周波数上のビーコンを発し得る。このように、フェムトセルは、フェムトセル・カバレッジへフェムトセルの近くにあるアクセス端末を引き込み得る（つまり、アクセス端末をマクロセル・カバレッジから離れさせる）。従って、このビーコンスキーム（beacon scheme）の使用を通じて、フェムトセルのカバレッジ外からホームへ来る（例えば、ホーム・フェムトセルに近づく）ユーザは、フェムトセルを容易に発見し、フェムトセルからサービスを得ることができる。そのようなビーコンはフェムトセル発見の点で有用であるが、ビーコンは隣接するマクロセルによって使用される同じキャリア周波数で送信されるので、マクロネットワークで干渉を引き起こし得る。この干渉は、能動的なマクロセル・ユーザ（つまり、マクロセル周波数で１つまたは複数のマクロセルからサービスを能動的に受信するユーザ）の音声通話品質に影響し、マクロセル・ユーザがフェムトセルに非常に近づくことが生じる場合、通話がとだえることも引き起こし得る。従って、フェムトセルからの干渉から、能動的なマクロセル・ユーザを保護する必要がある。
【発明の概要】
【０００６】
開示のいくつかの例の態様の概要を以下に示す。この概要は、読者の便宜のために提供され、開示の範囲を全て定義するわけではない。便宜上、いくつかの態様という用語は、開示の単一の態様、または複数の態様を指すようにここで使用され得る。
【０００７】
開示はいくつかの態様において、アクセスポイントによる送信を制限することに関する。例えば、第１のアクセスポイント（例えば、フェムトセル）でアクセス端末を検出すると、アクセスポイントは、アクセス端末が第２のアクセスポイント（例えば、マクロセル）から能動的に情報を受信するダウンリンクキャリア周波数を識別し得る。このアクセス端末の検出に基づいて、第１のアクセスポイントは、識別されたダウンリンクキャリア周波数で送信を制限し得る。
【０００８】
アクセスポイントによる送信の制限は、様々な方法で達成し得る。いくつかの場合には、アクセスポイントが一時的に送信電力を低減する。いくつかの場合には、アクセスポイントが一時的にその送信の周期を低減する。いくつかの場合には、アクセスポイントは一時的に送信を中断する。送信電力は低減されるか、または、ビーコン・チャネルおよび／またはフェムトセルが動作するダウンリンクチャネルでの送信について中断され得る。
【０００９】
開示は、いくつかの態様において、フェムトセルからのビーコン干渉から能動的なマクロセル・ユーザを保護することに関する。例えば、近くの能動的なマクロセル・ユーザの存在を検出すると、フェムトセルは、可能性ある干渉を和らげるために、マクロセル・ダウンリンクキャリア周波数でビーコン・スロットリング（beacon throttling）を一時的に適用し、そうでなければ、フェムトセルによるビーコン送信による可能性ある干渉はマクロセル・ユーザによって経験される。ここで、ビーコン・スロットリングは、例えば、ビーコン送信電力を低減すること、ビーコン送信周期を低減すること、ビーコン送信電力とビーコン送信周期とを低減すること、またはビーコン送信を完全に停止することを含む。有利に、この保護は、マクロセル・ユーザ・通話品質が強く影響されないことを保証するためにリアルタイムに提供され得る。
【００１０】
開示のこれらおよび他の態様例は、以下に示す発明を実施するための形態と添付の特許請求の範囲、および添付の図面に記述される。
【図面の簡単な説明】
【００１１】
【図１】アクセスポイントがアクセス端末を検出すると送信を制限する通信システムのいくつかの態様例の簡略化されたブロック図である。
【図２】アクセス端末を検出するとアクセスポイントで送信を制限するとともに実行され得る動作のいくつかの態様例のフローチャートである。
【図３】受信信号強度に基づいてアクセス端末を検出するとともに実行され得る動作のいくつかの態様例のフローチャートである。
【図４】アクセス端末のハンドオーバに基づいてアクセス端末を検出するとともに実行され得る動作のいくつかの態様例のフローチャートである。
【図５】定義された時間期間、送信を制限するとともに実行され得る動作のいくつかの態様例のフローチャートである。
【図６】受信信号強度に基づいて送信の制限を終了するとともに実行され得る動作のいくつかの態様例のフローチャートである。
【図７】推定された受信信号強度に基づいて検出閾値を決定するとともに実行され得る動作のいくつかの態様例のフローチャートである。
【図８】基準受信信号強度に基づいて検出閾値を決定するとともに実行され得る動作のいくつかの態様例のフローチャートである。
【図９】アクセス端末のハンドオーバ後、測定された受信信号強度に基づいて検出閾値を決定するとともに実行され得る動作のいくつかの態様例のフローチャートである。
【図１０】測定されたセル外干渉に基づいてアクセス端末を検出するとともに実行され得る動作のいくつかの態様例のフローチャートである。
【図１１】拡散コードの使用を通じてアクセス端末を検出するとともに実行され得る動作のいくつかの態様例のフローチャートである。
【図１２】送信電力を制御するとともに実行され得る動作のいくつかの態様例のフローチャートである。
【図１３】通信ノードで用いられ得るコンポーネントのいくつかの態様例の簡略化されたブロック図である。
【図１４】無線通信システムの簡略化された図である。
【図１５】フェムト・ノードを含む無線通信システムの簡略化された図である。
【図１６】無線通信についてカバレッジエリアを図示する簡略化された図である。
【図１７】通信コンポーネントのいくつかの態様例の簡略化されたブロック図である。
【図１８】ここで教示されるような送信を制限するように構成される装置のいくつかの態様例の簡略化されたブロック図である。
【発明を実施するための形態】
【００１２】
共通のプラクティスに沿って、図面に示された様々な特徴はスケールするために作られない。従って、様々な特徴の次元は、明瞭さのために任意に拡張されるかまたは低減され得る。加えて、図面のうちのいくつかは明瞭さのために単純化され得る。従って、図面は、任意の装置（例えば、デバイス）または方法のコンポーネントの全てを表すわけではない。最後に、同様の参照番号は、明細書と図面の全体を通して同様の特徴を示すために使用され得る。
【００１３】
開示の様々な態様は後述される。ここでの教示は、多種多様の形式において具体化され、ここに開示される、任意の特定の構造、機能、または両方は単に代表的であることは明白であろう。ここでの教示に基づいて、当業者には、ここに開示された態様は他の態様から独立して実現され、これらの態様の２つ以上は様々な方法で組み合わされ得ることは言うまでもない。例えば、装置は実現されるか、または方法はここに説明されるいくらかの態様を使用して実行される。さらに、そのような装置は実現されるか、または、そのよう方法は、ここに説明される１つまたは複数の態様に加えて、または該態様以外に他の構造、機能、または構造と機能とを使用して実行され得る。さらに、態様は、請求項の少なくとも１つのエレメントを含み得る。
【００１４】
図１は、一例の通信システム１００（例えば、通信ネットワークの一部）のいくつかのノードを示す。図示するため、開示の様々な態様は、互いに通信する１つ以上のアクセス端末、アクセスポイント、およびネットワークエンティティの環境において述べられる。しかしながら、ここでの教示は、他の用語を使用して引用される他のタイプの装置または他の同様の装置に適用可能であることは認識されるであろう。例えば、様々な実装（implementations）において、アクセスポイントは、基地局、ＮｏｄｅＢ（ｓ）、ｅＮｏｄｅＢ（ｓ）等を指すかまたは実装され、一方、アクセス端末は、ユーザ装置（ＵＥ）（ｓ）、モバイル等を指すかまたは実装される。
【００１５】
システム１００におけるアクセスポイントは、システム１００のカバレッジエリア内で導入され得るか、または該カバレッジエリアにわたってロームし得る１つ以上の無線端末（例えば、アクセス端末１０２）に１つ以上のサービス（例えば、ネットワーク接続性）への接続を提供する。例えば、様々な時点で、アクセス端末１０２は、システム１００においてアクセスポイント１０４、アクセスポイント１０６、またはいくつかのアクセスポイント（図示せず）へ接続する。これらのアクセスポイントのそれぞれは、広域ネットワーク接続性を容易にするために、（便宜上、ネットワークエンティティ１０８で表わされた）１つまたは複数のネットワークエンティティと通信し得る。
【００１６】
これらのネットワークエンティティは、例えば、１つまたは複数のラジオおよび／またはコアネットワークエンティティのような様々な形式をとり得る。従って、様々な実装において、ネットワークエンティティは、ネットワーク管理（例えば、動作、管理（administration、management）、およびプロビジョニングエンティティ（provisioning entity）により）、呼制御（call control）、セッション管理、モビリティ管理、ゲートウェイ機能、インタワーキング機能（interworking functions）、または他の適切なネットワーク機能のうちの少なくとも１つのような機能を表わし得る。いくつかの態様では、モビリティ管理は、トラッキングエリア（tracking areas）、位置エリア（location areas）、ルーティングエリア（routing areas）、または他の適切な技術の使用を通じて、アクセス端末の現在位置のトラック（track）を保持しておくこと、アクセス端末に対するページングを制御すること、およびアクセス端末にアクセス制御を提供すること、に関する。さらに、これらのネットワークエンティティのうちの２つ以上は、同一場所に配置され、および／またはこれらのネットワークエンティティのうちの２つ以上はネットワーク全体にわたって分配され得る。
【００１７】
アクセスポイント１０４は、その送信がそのようなアクセス端末に可能性として干渉するかどうかをアクセスポイント１０４が決定するために、アクセスポイント１０４の近くにアクセス端末の存在を検出するための機能（ブロック１１０によって表わされるように）を含む。例えば、アクセスポイント１０４（例えば、フェムトセル）は、アクセスポイント１０６（例えば、マクロセル）と現在アクティブ通信である、近くのアクセス端末１０２の存在を検出する能力を含む。
【００１８】
そうでなければ、アクセス端末１０２による送信によって引き起こされ得るアクセス端末１０２での干渉を低減するために、アクセスポイント１０４は、アクセス端末１０２を検出するとアクセスポイント１０４による送信を制限するための機能（ブロック１１２によって表わされるように）を含む。例えば、アクセスポイント１０４は、その順方向リンクで送信を制限するか、またはアクセスポイント１０６がアクセス端末１０２と通信するために使用するダウンリンクキャリア周波数でビーコンまたは他の信号の送信を制限する。さらに、いくつかの場合には、アクセスポイント１０４は、それらのキャリア周波数でいかなる可能性ある干渉も和らげるために隣接するキャリア周波数での送信を制限する。
【００１９】
特定の例として、アクセスポイント１０４は、１つのキャリア周波数で動作し、近くの任意のホーム・アクセス端末（つまり、アクセスポイント１０４へ接続することを認められるアクセス端末）が、アクセスポイント１０４を発見することを可能にするために、マクロキャリア周波数でビーコンを送信するフェムトセルを含む。この場合、アクセスポイント１０４は、任意の近くのマクロアクセス端末（つまり、マクロネットワーク上で動作するアクセス端末）を検出するように構成される。近くのマクロアクセス端末を検出すると、アクセスポイント１０４は、マクロアクセス端末（ｓ）と通信するためにマクロネットワークによって使用されるマクロダウンリンクキャリア周波数でそのビーコン送信（および／または他のタイプの送信）を制限する。その結果、マクロアクセス端末（ｓ）での音声品質はフェムトセルからの干渉により著しく低下されず、マクロアクセス端末（ｓ）は呼の減少（drops）を経験せず、そうでなければその減少はフェムトセルからの干渉に起因し得る。
【００２０】
アクセスポイント１０４は、様々な方法でアクセス端末の存在を検出し得る。アクセスポイント１０４がそのビーコン送信を制限するフェムトセルを含む場合のいくつかの例を以下に示す。
【００２１】
いくつかの実装では、フェムトセルは、マクロセル・ダウンリンクキャリア周波数（または、複数の周波数）と対になるマクロセル・アップリンクキャリア周波数（または、複数の周波数）で受信信号強度を測定することにより、近くのマクロセル・ユーザの存在を検出する。この測定は、受信信号強度表示（ＲＳＳＩ）を指す。例えば、特定の期待値を超えるアップリンクＲＳＳＩ値の測定は、対応するダウンリンク周波数で受信する能動的なマクロセル・ユーザの存在の表示として機能する。フェムトセルは、このようにダウンリンクキャリア周波数、またはマクロセル・ユーザがマクロネットワークから情報を受信するダウンリンクキャリア周波数のセットで送信を制限し得る。
【００２２】
いくつかの実装では、近くの能動的なマクロセル・ユーザの存在はアクセスポイント１０４への既知のアプリオリ（apriori）であり得る。例えば、フェムトセルから、制限されたユーザまたはゲストユーザのマクロセルへのアクセス端末の能動的なハンドオーバ（一般に、能動的なハンドアウトと呼ばれる）の場合、このアクセス端末はフェムトセルの近くにありマクロセルによってサービスされていることをフェムトセルは知るだろう。従って、フェムトセルは、ダウンリンクキャリア周波数、またはマクロセル・ユーザがマクロネットワークから情報を受信するダウンリンクキャリア周波数のセットで送信を制限し得る（例えば、ビーコン・スロットリングを適用する）。
【００２３】
アクセスポイント１０４は、様々な方法でその送信を制限し得る。いくつかの実装では、アクセスポイント１０４は一時的にその送信電力を低減する。例えば、アクセスポイント１０４は、ビーコンを送信するために使用する最大送信電力限度を一時的に低減し得る。いくつかの実装では、アクセスポイント１０４は、一時的にその送信の周期を低減する。例えば、アクセスポイント１０４が与えられたキャリア周波数でビーコンを周期的に送信する場合（例えば、異なるキャリア周波数での時分割多重ビーコン送信（time division multiplexing beacon transmissions）のとき）、アクセスポイント１０４は、ビーコンがキャリア周波数で送信される時間期間を一時的に低減し得る。いくつかの実装では、アクセスポイント１０４は一時的に送信を中断する。例えば、アクセスポイント１０４は、検出されたアクセス端末へ情報を送信するために使用される任意のマクロキャリア周波数で一時的にビーコン送信を中断し得る。
【００２４】
アクセスポイント１０４は一時的に送信を制限する様々な技術を用いられ得る。いくつかの実装では、アクセスポイント１０４は、定義された時間期間、送信を制限する。例えば、アクセスポイント１０４は、送信を制限するとタイマーを開始し、一度タイマーが終了すると、送信の制限を終了する。いくつかの実装では、アクセスポイント１０４は、終了する事象（event）が発生するまで、送信を制限する。例えば、アクセス端末の検出は、測定された受信信号強度が閾値を超えることに基づく場合、アクセスポイント１０４は、測定された受信信号強度が、設定可能な特定の閾値を下回るとき、送信の制限を終了する。これらの場合において、送信の制限を終了すると、アクセスポイント１０４は送信の制限に先立って使用された送信電力レベルおよび／または周期で送信することを再開し得る。
【００２５】
アクセスポイント１０４は、１つまたは複数のキャリア周波数で送信を制限し得る。例えば、アクセスポイント１０４は、アップリンクキャリア周波数で測定された受信信号強度が閾値（例えば、期待値）以上である場合、アップリンクキャリア周波数に対応するダウンリンクキャリア周波数で送信を制限する。さらに、アクセスポイント１０４は、適用可能な場合、１つまたは複数の隣接するダウンリンク周波数で送信を制限し、隣接するチャネルビーコン干渉から能動的なマクロユーザを保護する。
【００２６】
フェムトセルは、その隣接するマクロセルとは異なるキャリア周波数で動作する場合、フェムトセルは、フェムトセルの通常動作するアップリンクキャリア周波数とは異なるアップリンクキャリア周波数で（例えば、受信信号強度を測定することによって）アクセス端末の存在を検出する必要がある。様々な技術はここで用いられ得る。いくつかの実装では、フェムトセルは、フェムトセルの通常のアップリンクキャリア周波数で最小のサービスを保証する間、他のアップリンクキャリア周波数へその受信チェーン（receive chain）を周期的に合わせる。少なくとも１つの受信ダイバーシティチェーン（receive diversity chain）（例えば、フェムトセルがそのアクセス端末をサービスするために使用する受信チェーン以外の受信チェーン）がフェムトセルにおいて利用可能な実装では、その後、受信チェーンのうちの１つは、マクロセル周波数で（例えば、アップリンク受信信号強度を測定することによって）アクセス端末の存在を検出するために周期的に使用され、通常のアップリンクキャリア周波数動作のために予定された他の受信チェーンを維持する。いくつかの実装では、フェムトセルは、異なる周波数で（例えば、アップリンク受信信号強度を測定する）アクセス端末の存在を検出するために提供され得る追加の受信チェーンを備える。
【００２７】
アクセス端末を検出し送信を制限すると共に実行され得る動作例は、図のフローチャートとともに、次により詳細に記述される。便宜上、図２−１２の動作（またはここで教示されるかまたは議論される他の動作）は、特定のコンポーネント（例えば、図１または図１３のコンポーネント）によって実行されると記述される。しかし、これらの動作は他のタイプのコンポーネントによって実行され、異なる数のコンポーネントを使用して実行され得ることは認識されるであろう。ここに記述される１つまたは複数の動作は与えられた実装で用いられ得ないことはさらに認識されるであろう。
【００２８】
図２は、ここでの教示に従ってアクセスポイントによる送信を制限するために実行され得る動作例を示す。説明のために、これらの動作は、（例えば、マクロセルを含む）第２のアクセスポイントとアクティブ通信するアクセス端末の存在を検出する、（例えば、フェムトセルを含む）第１のアクセスポイントの環境において記述される。ここで、アクティブ通信（または、能動的に受信する等）という用語は、アクセス端末が第２のアクセスポイントで（アイドルモードとは対照的に）アクティブモード（active mode）であり、それ故に、ある時点（例えば、時々、周期的に、連続的に等）の第２のアクセスポイントから情報を受信することを意味する。
【００２９】
図２のブロック２０２によって表わされるように、ある時点で、第１のアクセスポイントは第１のアクセスポイントでアクセス端末を検出する。いくつかの態様では、アクセス端末が第１のアクセスポイントにあるという決定は、アクセス端末が第１のアクセスポイントによる送信（例えば、ビーコン送信）からの干渉を受けやすいほど、アクセス端末が第１のアクセスポイントに十分に接近している（近い）ことを決定することを含む。例えば、ここに議論されるように、これは、（例えば、マクロアクセス端末は時々第２のアクセスポイントから能動的に情報を受信している）マクロネットワークへマクロアクセス端末が接続される状況の下で、フェムトセルがフェムトセルの近くのマクロアクセス端末の存在を検出することを含む。アクセス端末の検出は、ここに記述されるような（例えば、図１、３、４、１０、および１１と共に記述されるような）様々な方法で実行され得る。
【００３０】
ブロック２０４によって表わされるように、第１のアクセスポイントはアクセス端末が第２のアクセスポイントから能動的に情報を受信するダウンリンクキャリア周波数を識別する。例えば、マクロアクセス端末の検出が、アップリンクキャリア周波数で行われた測定に基づく場合（例えば、それによりその測定はマクロアクセス端末がアップリンクキャリア周波数で送信している表示を提供する）、ブロック２０４の動作は、フェムトセルがアップリンクキャリア周波数と対になるダウンリンクキャリア周波数を識別することを含む。マクロアクセス端末の検出はアクセス端末がフェムトセルからマクロセルへ最近ハンドオーバされたことに基づく場合、ブロック２０４の動作は、フェムトセルがハンドオーバ対象に関連したマクロダウンリンクキャリア周波数を識別することを含む。
【００３１】
いくつかの場合には、ブロック２０４の動作は、１つより多いダウンリンクキャリア周波数を識別することを含み得る。例えば、任意のマクロセルは、フェムトセルの近くにある１つまたは複数のマクロアクセス端末へ情報を送信するために１つより多いダウンリンクキャリア周波数を使用する。
【００３２】
ブロック２０６に表わされるように、ブロック２０２でのアクセス端末の検出の結果として、第１のアクセスポイントはブロック２０４で識別されたダウンリンクキャリア周波数（または、複数の周波数）で送信を制限する。送信の制限（例えば、ビーコン送信を制限すること）は、ここに記述されるような（例えば、図１、５、６、および１２と共に記述されるような）様々な方法で実行され得る。
【００３３】
いくつかの場合には、フェムトセルは、フェムトセルが識別されたダウンリンクキャリア周波数（または、複数の周波数）で使用する送信電力を一時的に低減する。例えば、図１２でより詳細に議論されるように、最大ビーコン送信電力パラメータ（例えば、図１２で議論されるように、アップリンクＲＳＳＩの関数および電力調整ファクターとして決定される）はマクロセル・ユーザへのビーコン干渉影響を制御するために調節される。マクロダウンリンクキャリア周波数で現在使用されるビーコン電力レベルがこのパラメータの値を超える場合、フェムトセルはその送信電力をこのレベルへ低減する。
【００３４】
いくつかの場合には、フェムトセルは識別されたダウンリンクキャリア周波数（または複数の周波数）で送信する頻度を低減する。単純化された例として、３つの異なるマクロダウンリンクキャリア周波数でビーコンを送信するために、フェムトセルが単一の送信チェーンを使用する状況において、フェムトセルは、約３３％のデューティサイクル（duty cycle）の周期で各ダウンリンクキャリア周波数でビーコンを送信する。送信電力がこれらのキャリア周波数のうちの１つで制限されることになっていることを決定すると、フェムトセルはそのキャリア周波数で半分（例えば、１７％のデューティサイクルで送信する）だけ周期を低減し得る。
【００３５】
いくつかの場合には、フェムトセルは、識別されたダウンリンクキャリア周波数（または、複数の周波数）で送信することを一時的に中断する。例えば、フェムトセルは、そのような送信が近くのマクロアクセス端末との干渉を引き起こす任意のマクロダウンリンクキャリア周波数でビーコンを送信することを一時的に停止する。
【００３６】
上記に言及されるように、様々な技術はアクセス端末を検出するために使用され得る。図３および４は、これらの技術のうちの２つのために用いられ得る動作例を記述する。
【００３７】
最初に図３を参照し、いくつかの実装では、フェムトセルは、（ダウンリンク周波数と対になる）マクロセルアップリンク周波数で受信される信号強度（例えば、ＲＳＳＩ）を測定することにより、近くのマクロアクセス端末を検出する。受信信号強度は特定の期間測定され、フィルタリングのいくつかの形式（例えば、ＦＩＲフィルタリング、特定の時間ウィンドウ（time window）での単純な平均化）は、チャネルフェージング効果を取り除き、フィルタリングされた受信信号強度測定を得るために適用され得る。従って、いくつかの場合には、ここに記述されるような、測定される受信信号強度（例えば、ＲＳＳＩ）は、時間期間中測定され、その後いくつかの方法でフィルタリングされた受信信号強度情報を含み得る。ここで、マクロセル・ユーザがフェムトセルの近くにいる場合、フェムトセルによって測定された受信信号強度は比較的高いだろう。従って、測定された受信信号強度が特定の期待値（例えば、ＲＳＳＩ値）を超えるとき、フェムトセルは近くの能動的なマクロセル・ユーザの存在を想定し得る。フェムトセルは、その後、干渉からユーザを保護するためにその送信を制限し得る（例えば、ビーコン・スロットリングを適用する）。
【００３８】
図３は、受信信号強度（例えば、ＲＳＳＩ）に基づいてアクセス端末の存在を検出するためにアクセスポイント（または、他の適切なエンティティ）によって実行され得る動作例を示す。ブロック３０２によって表わされるように、（例えば、フェムトセルを含む）アクセスポイントはアップリンクキャリア周波数で受信信号強度を測定する。ブロック３０４および３０６によって表わされるように、アクセスポイントは測定された受信信号強度を閾値と比較する。測定された受信信号強度が閾値より大きいまたは等しい場合、アップリンクキャリア周波数で少なくとも１つのアクセス端末の検出は、そのために示される。そうでなければ、アクセスポイントは、受信信号強度を測定しその結果を閾値と比較することを続ける（ブロック３０２―３０６）。ブロック３０８によって表わされるように、アクセス端末（または、複数のアクセス端末）の検出がブロック３０６で示された場合、アクセスポイントは、各識別されたアップリンクキャリア周波数と対になる各ダウンリンクキャリア周波数を識別する。ブロック３１０によって表わされるように、その後、アクセスポイントは、（例えば、ここに議論されるように）識別されたダウンリンクキャリア周波数または複数の周波数でその送信を制限する。
【００３９】
上述されるように、図３の動作は多重キャリア周波数のために実行され得る。例えば、アクセスポイントが多重ダウンリンクキャリア周波数で送信する場合、アクセスポイントは対応するアップリンクキャリア周波数のそれぞれで（例えば、単一の受信チェーンがこのモニタリングに使用される場合ラウンドロビン方式で）受信信号強度を測定し、それらの周波数に任意の近くの能動的なマクロユーザがあるかどうかを判断する。
【００４０】
フェムトセルが多重マクロキャリア周波数でビーコンを発するとき、フェムトセルは、これらのマクロキャリア周波数で能動的であるマクロユーザへ保護を提供するために、異なるアップリンクキャリア周波数で受信信号強度（例えば、ＲＳＳＩ）を定期的に（例えば、連続的に）監視する。そのような状況では、フェムトセルは、異なる周波数でのその受信信号強度測定を、ビーコン送信に使用されたスケジュール（つまり、ビーコン送信タイミング）と同時に動かし得る。例えば、ビーコンはキャリア周波数Ｆ１＿ダウンリンク、Ｆ２＿ダウンリンク、およびＦ３＿ダウンリンクで送信される場合、フェムトセルは、ダウンリンク周波数で能動的なマクロユーザを保護するために、キャリア周波数Ｆ１＿アップリンク、Ｆ２＿アップリンク、およびＦ３＿アップリンクのそれぞれで受信信号強度を測定する。フェムトセルは、その後、その受信信号強度測定を同時に動かし得るので、キャリア周波数Ｆｉ＿アップリンク（例えばｉ＝１、２、または３）での受信信号強度評価は、キャリア周波数Ｆｉ＿ダウンリンクでビーコンの送信に先立って（例えば、該送信の定義された時間期間内）利用可能である。
【００４１】
同様に、アクセスポイントは、送信の制限を受信信号強度の測定と同時に動かし得る。例えば、アクセス端末の検出（および、それ故に送信を制限する決定）は、測定された信号強度に基づく場合、アクセス端末は、送信の制限の定義された時間期間内に測定が実行されることを保証する。このように、アクセスポイントは、送信を制限する決定が比較的現在の情報に基づくことを保証し得る。
【００４２】
図４は、アクセス端末の最近のハンドオーバに基づいてアクセス端末の存在を検出するために、アクセスポイント（または、他の適切なエンティティ）によって実行され得る動作例を示す。ここで、最近ハンドオーバされたアクセス端末をアクセスポイントからの干渉から保護することは望ましい。従って、第１のアクセスポイント（例えば、フェムトセル）から第２のアクセスポイント（例えば、マクロセル）へアクセス端末が能動的にハンドオーバすると、第１のアクセスポイントは、近くにアクティブユーザがいるというその情報を使用し、ここに教示されるようなこのユーザを保護するためにビーコン・スロットリングを適用する。
【００４３】
図４のブロック４０２によって表わされるように、最初に、アクセス端末は第１のアクセスポイントと通信する。例えば、ホーム・アクセス端末は、そのホーム・フェムトセルによってサービスされる。他の例として、フェムトセルが信号伝達のみの接続（または、ハイブリッド接続）を提供する状況では、（例えば、制限されたユーザのような）非ホームユーザは、アイドルモードサービス（例えば、受信および送信ページングメッセージ）のためフェムトセルへ接続することを許可される。
【００４４】
ブロック４０４によって表わされるように、ある時点で、第１のアクセスポイントから第２のアクセスポイントへアクセス端末のハンドオーバ（すなわち、ハンドアウト）は開始され得る。例えば、ホーム・アクセス端末は、そのホーム・フェムトセルのすぐ近くから離れて、マクロネットワークからサービスを取得する必要がある。他の例として、フェムトセルで信号伝達のみの接続を有する非ホームユーザは、呼を開始する（または、受信する）とき、フェムトセルはマクロネットワークへこのユーザをハンドオーバする。ブロック４０６によって表わされるように、第１のアクセスポイントは、それ故に、アクセス端末がハンドオーバ中またはハンドオーバされたことを決定する。
【００４５】
ブロック４０８によって表わされるように、ブロック４０６の決定の結果として、第１のアクセスポイントは、アクセス端末が第２のアクセスポイントから情報を受信するダウンリンクキャリア周波数を識別する。例えば、ハンドオーバ動作の間、フェムトセルは、アクセス端末を（いくつかの可能性あるマクロ周波数外の）１つのマクロ周波数へハンドオーバするようし、その周波数（または、複数の周波数）でマクロセルからサービスを受信する。
【００４６】
ブロック４１０によって表わされるように、アクセスポイントは、その後、（例えば、ここで議論されるように）識別されたダウンリンクキャリア周波数でその送信を制限する。図４の動作は、多重キャリア周波数および多重接続端末のために実行され得ることが認識されるであろう。その送信は、成功したハンドオーバを保証するためにハンドオーバを開始する前に制限され得る。従って、アクセスポイントは、ハンドオーバと送信の制限とを同時に動かし得る。
【００４７】
上述されるように、様々な技術はいつ送信の制限を終了するか決定するために使用され得る。図５と６は、これらの技術のうちの２つのために用いられ得る動作例を記述する。
【００４８】
最初に図５を参照し、このフローチャートは、定義された時間期間、送信が制限される実装で実行され得る動作例を記述する。ブロック５０２によって表わされるように、ある時点で、アクセスポイントは、（例えば、ここに議論されるようにアクセス端末の検出に基づいて）ダウンリンクキャリア周波数で送信の制限を開始する。ブロック５０４によって表わされるように、送信の制限が開始されるとタイマーが開始される。ブロック５０６および５０８によって表わされるように、一度タイマーが終了すると（すなわち、定義された時間期間後）、アクセスポイントは識別されたダウンリンクキャリア周波数で送信の制限を終了する。従って、アクセスポイントは、送信が制限される前に用いられた送信パラメータ（例えば、送信電力および／または周期）を使用し得る。１つの実装例では、タイマーの期間は約１０分である。さらに、最後のＸ時間で送信が制限される合計時間であり得る。この合計時間が閾値を超える場合、送信は、次のＹ時間制限されない（例えば、送信が最後の１時間で合計３０分間制限される場合、送信は次の０．５時間制限されない）。これは、定期的な送信が送信の制限により強く影響されないことを保証する。
【００４９】
図６は、アップリンクキャリア周波数で測定された受信信号強度が閾値以下になるまで、送信が制限される実装で実行され得る動作例を記述する。ブロック６０２によって表わされるように、ある時点で、アクセスポイントは、（例えば、ここに議論されるようなアクセス端末の検出に基づいて）ダウンリンクキャリア周波数で送信の制限を開始する。ブロック６０４によって表わされるように、アクセスポイントは、送信が制限されるダウンリンクキャリア周波数に関連したアップリンクキャリア周波数で定期的に受信信号強度を測定する。ブロック６０６および６０８によって表わされるように、アクセスポイントは測定された受信信号強度を閾値と比較する。測定された受信信号強度は閾値より小さいまたは等しい場合（例えば、そのことは、アクセス端末が、アクセスポイントの近くでもはや能動的に動作しないことを示す）、アクセスポイントはブロック６１０によって表わされるように識別されたダウンリンクキャリア周波数で送信の制限を終了する。従って、アクセスポイントは、送信が制限される前に用いられた送信パラメータ（例えば、送信電力および／または周期）を使用し得る。逆に、測定された受信信号強度がブロック６０８で閾値を越える場合（例えば、そのことは、アクセス端末が、アクセスポイントの近くで能動的に動作することを示す）、アクセスポイントは受信信号強度を測定し、その結果を閾値と比較することを続ける（ブロック６０４―６０８）。
【００５０】
様々な技術はアクセス端末を検出するために使用される閾値（例えば、ＲＳＳＩ方式の閾値を定義する）を決定するために使用され得る。図７、８、および９は、例えば、ブロック３０４の閾値を提供するために用いられ得る動作例を記述する。
【００５１】
図７は、近くのアクセス端末（例えば、能動的なマクロセル・ユーザ）の推定された送信電力に基づいて閾値を定義するために第１のアクセスポイントで用いられ得る動作例を記述する。
【００５２】
ブロック７０２によって表わされるように、（例えば、フェムトセルを含む）第１のアクセスポイントはそれ自体と（例えば、マクロセルを含む）第２のアクセスポイントとの間のパス損失を決定する。ここで、第１のアクセスポイントは、第２のアクセスポイントからの信号の受信信号強度を測定し得る。さらに、第１のアクセスポイントは、（例えば、バックホールのネットワークから、または第２のアクセスポイントによって送信される情報に基づいて）信号を送信するために第２のアクセスポイントが使用した送信電力を示す情報を取得し得る。パス損失（PL_Femto_Macro）はこの送信電力および受信信号強度に基づいて計算され得る。アクセス端末が第１のアクセスポイントの近くにあるとき、このパス損失は、アクセス端末と第２のアクセスポイントとの間のパス損失の推定として機能する。
【００５３】
ブロック７０４によって表わされるように、第１のアクセスポイントは第２のアクセスポイントと通信するために近くのアクセス端末によって使用される送信電力を推定する。この推定は、ブロック７０２で計算されたパス損失（アクセス端末と第２のアクセスポイントとの間のパス損失に近似する）および第２のアクセスポイント用の対応するアップリンク・リンク割当て（link budget）要求に基づく。すなわち、推定された送信電力（Mobile_Tx_Power）は、アクセス端末と第２のアクセスポイントとの間で近似されたパス損失を考慮して第２のアクセスポイントで（例えば、典型的な音声通話のため）リンク割当て要求を満たすために必要である電力の量である。
【００５４】
ブロック７０６によって表わされるように、第１のアクセスポイントはアクセス端末によって送信された信号のための第１のアクセスポイントで期待される受信信号強度を推定する。この受信信号強度は、ブロック７０４で得られる、推定されたアクセス端末送信電力、および第１のアクセスポイントとアクセス端末（PL_Femto_MacroUser）との間で許可されるパス損失に基づいて計算される。例えば、フェムトセルでマクロセル・ユーザから期待されるＲＳＳＩの推定は、次のように計算される：
Uplink_RSSI_Expected = Mobile_Tx_Power - PL_Femto_MacroUser
ブロック７０８によって表わされるように、第１のアクセスポイントはブロック７０６で計算された、推定された受信信号強度に基づいて検出閾値を決定する。例えば、追加のマージンは、上述されたUplink_RSSI_Expected値に追加される。従って、ある将来の時点で、第１のアクセスポイントは、この閾値をアップリンク受信信号強度の現在の測定と比較し、マクロアクセス端末が第１のアクセスポイントの近くにあるかどうか決定する。
【００５５】
図８は、時間期間でなされた受信信号強度測定に基づいて、閾値を定義するために用いられ得る動作例を記述する。例えば、能動的なマクロユーザがフェムトセルの近くにいるとき、フェムトセルで測定された受信信号強度は、長期的な受信信号強度推定を超えるだろう。従って、この推定は、フェムトセルの近くの能動的なマクロユーザの存在の表示を提供し得る。特定の例として、フェムトセルは、特定の期間でのマクロトラフィックによる基準長期間アップリンクＲＳＳＩ（RSSI_Long_Term）を推定し、式：RSSI_Expected (dBm) = RSSI_Long_Term (dBm) + デルタ[dB]に基づいて、期待されたＲＳＳＩ値を計算し、ここで、デルタは設定可能なパラメータ（例えば、１０ｄＢ）である。
【００５６】
次に図８の動作を参照し、ブロック８０２によって表わされるように、アクセスポイントは時間期間中（例えば、数日、または夜のみ数日で）、アップリンクキャリア周波数で受信信号強度を測定する。ブロック８０２によって表わされるように、アクセスポイントは時間期間中行われた測定に基づいて基準（例えば、平均）受信信号強度を計算する。このように、アップリンクキャリア周波数で期待された受信信号強度の長期間推定は生成され得る。ブロック８０６によって表わされるように、第１のアクセスポイントは、ブロック８０４で計算された基準受信信号強度に基づいて検出閾値を決定する。例えば、追加マージンは基準受信信号強度値に追加される。第１のアクセスポイントは、その後、マクロアクセス端末がその時点で第１のアクセスポイントの近くにあるかどうか決定するために、後の時点で測定する受信信号強度とこの閾値を比較し得る。
【００５７】
図９は、アクセス端末がアクセスポイントによってハンドオーバされた後すぐになされる測定に基づいて、閾値を定義するために用いられ得る動作例を記述する。例えば、能動的なホームユーザがフェムトセルからマクロセルへ（例えば、ユーザがフェムトセル・カバレッジから出るように）ハンドアウトされる直後に、フェムトセルはアップリンク受信信号強度（例えば、ＲＳＳＩ）を測定する。ホームユーザがハンドアウト直後に測定されたアップリンク受信信号強度レベルは、その後、フェムトセルの近くにいるマクロユーザから期待される受信信号強度についての基準点として使用され得る。
【００５８】
図９の動作を参照し、ブロック９０２によって表わされるように、ある時点で第１のアクセスポイントは、（例えば、図４で上述されたように）アクセス端末が第２のアクセスポイントへハンドオーバ中、またはハンドオーバされたことを決定する。ここで、第１のアクセスポイントは、別のアクセスポイントへのアクセス端末のハンドオーバを制御するので、この決定はハンドオーバの時間の間、行われる。ブロック９０４によって表わされるように、ブロック９０２の決定の結果として、第１のアクセスポイントはアクセス端末によって使用されるアップリンクキャリア周波数で受信信号強度を測定する。ブロック９０６によって表わされるように、第１のアクセスポイントは、ブロック９０４で測定された受信信号強度に基づいて検出閾値を決定する。例えば、第１のアクセスポイントは、時間期間中、アクセス端末がハンドオーバ後に行われた測定のデータベースを維持する。第１のアクセスポイントは、その後、近くの能動的なマクロユーザから受信されることを期待される受信信号強度値（例えば、ＲＳＳＩ）を提供するために（例えば、追加された追加マージンで）測定の特定の百分率を選択し得る。第１のアクセスポイントは、その後、マクロアクセス端末がその時点で第１のアクセスポイントの近くにあるかどうか決定するために、後の時点で測定する受信信号強度とこの閾値を比較し得る。
【００５９】
図１０は、セル外干渉の測定によって、アクセスポイントが近くのマクロアクセス端末を検出する実装で用いられ得る動作例を記述する。例えば、ここでの教示はフェムトセルおよびマクロセルが同じキャリア周波数を共有する状況で能動的なマクロセル・ユーザを保護するために使用される。この場合、合計の受信信号強度を測定する代わりに、フェムトセルは、非フェムトセルユーザによりアップリンクでセル外干渉（Ｉｏｃ）を測定し得る。測定されたＩｏｃが特定の期待されたＩｏｃレベルを超える場合、フェムトセルは、能動的な非フェムトセルユーザ（例えば、マクロセル・ユーザ）に対する干渉影響を和らげるためにそのダウンリンク送信電力を低減し得る。ダウンリンク送信電力は、例えば、共通チャネルで、オーバヘッドチャネル（例えば、パイロットチャネル、ページングチャネル）で、トラフィックチャネルで、またはこれらおよび／または他のチャネルのいくつかの組合せで、低減され得る。
【００６０】
図１０の動作を参照し、ブロック１００２によって表わされるように、（例えば、フェムトセルを含む）第１のアクセスポイントは（例えば、マクロセルを含む）第２のアクセスポイントと同じダウンリンクキャリア周波数でアクセス端末にサービスを提供することを決定する。この決定に基づいて、第１のアクセスポイントは、第１のアクセスポイントによって使用されるダウンリンクキャリア周波数に関連したアップリンクキャリア周波数でセル外干渉を測定する。ブロック１００６および１００８によって表わされるように、第１のアクセスポイントはセル外干渉を閾値と比較する。セル外干渉が閾値より大きいまたは等しい場合、ブロック１０１０によって表わされるように第１のアクセスポイントでの少なくとも１つのアクセス端末の検出が示される。アクセスポイントは、その後、識別されたダウンリンクキャリア周波数で（例えば、ここに議論されるように）その送信を制限する。セル外干渉が閾値より小さい場合、第１のアクセスポイントは、受信信号強度を測定し、その結果を閾値と比較することを続ける（ブロック１００４―１００８）。
【００６１】
図１１は、近くのマクロアクセス端末を検出するために、アクセスポイントが拡散コードを使用する実装で用いられ得る動作例を記述する。例えば、アップリンク受信信号強度を測定する代わりに、フェムトセルは、その存在を検出するために能動的なマクロユーザによって送信されたパイロット・エネルギーを測定する。この場合、フェムトセルは、モバイルによってアップリンク送信に使用される、異なる拡散マスク（spreading masks）（例えば、ｃｄｍａ２０００システムでの長コードマスク）で受信されるパイロットエネルギーを測定し得る。ここで、フェムトセルは、フェムトセルがその後、特定のアクセス端末の検索のために使用され、またはフェムトセルが能動的なユーザの存在を検出するために、全ての可能性ある拡散マスクにわたって無条件で検索し得る、１つまたは複数の特定の拡散するマスクを（例えば、実際の時間またはプレプロビジョニング（pre-provisioning）のいずれかで動的にネットワークによって）提供され得る。
【００６２】
図１１の動作を参照し、ブロック１１０２によって表わされるように、アクセスポイントはネットワークにおけるアクセス端末に割り当てられる１つまたは複数の拡散コードを得る。ここに議論されるように、アクセスポイントは特定のアクセス端末に割り当てられる特定の拡散コードの表示を得るか、またはアクセスポイントはネットワークで使用される全ての拡散コードの表示を得る。ブロック１１０４によって表わされるように、アクセスポイントは、任意の近くのアクセス端末からのパイロット信号を検出するために拡散コードを使用し、対応する受信パイロットエネルギーを測定する。ブロック１１０６および１１０８によって表わされるように、アクセスポイントは受信パイロットエネルギーを閾値と比較する。受信パイロットエネルギーが閾値より大きいまたは等しい場合、ブロック１１１０によって表わされるように、アクセスポイントでの少なくとも１つのアクセス端末の検出が示される。アクセスポイントは、その後、パイロット信号が受信されたアップリンクキャリア周波数に対応するダウンリンクキャリア周波数で（例えば、ここに議論されたように）その送信を制限する。ブロック１１０８で受信パイロットエネルギーが閾値より小さい場合、アクセスポイントはパイロット信号検出および受信パイロットエネルギー測定動作を続け、保証されるように、その結果を閾値と比較する（ブロック１１０４―１１０８）。
【００６３】
図１２は、送信を制限するためにアクセスポイントによって使用される最大送信電力が、測定された受信信号強度（例えば、特定の期間中、測定に基づいてフィルタリングされた受信信号強度）に基づいて定義される実装で用いられ得る動作例を記述する。ブロック１２０２によって表わされるように、アクセスポイントはアップリンクキャリア周波数で受信信号強度を測定する。ブロック１２０４によって表わされるように、アクセスポイントは測定された受信信号強度および電力調整ファクターに基づいて最大送信電力を決定する。例えば、フェムトセルが使用する最大ビーコン送信電力は、一方で、干渉から能動的なマクロセル・ユーザ保護を提供することが、アップリンクＲＳＳＩの関数として決定され得る。ここで、許容可能なビーコン送信電力Ptx_Maxは、例えば、Ptx_Max = 電力調整ファクター ÷ RSSI または Ptx_Max = 電力調整ファクター ÷ (RSSI - No )として選択され、ここで、ファクター・電力調整ファクターはマクロセル・ユーザに対するビーコン干渉影響を制御するために選択される設定可能なパラメータで、Noは、アップリンク周波数での熱雑音フロア（thermal noise floor）である。Noは、アクセスポイントの受信機ＲＦ設計に基づいて予想される雑音フロア（noise floor）に予め設定されるか、または長期間（例えば、数日にわたって）観測されるＲＳＳＩの最小値として推定され得る。ブロック１２０６によって表わされるように、アクセスポイントは、その後、最大送信電力に基づいて、（受信信号強度が測定されたアップリンクキャリア周波数に対応する）ダウンリンクキャリア周波数で使用される送信電力を制御する。
【００６４】
さらなる説明のために、ビーコン送信電力を調節するために用いられ得るアルゴリズムの例が続く。この例において、Ptx_current(Fi_dl)は、ダウンリンク（DLまたはdl）キャリア周波数Fiでビーコンを送信するために使用される現在の電力レベルである。フェムトセルは、対応するアップリンク（ULまたはul）周波数Fi_ulでＲＳＳＩ（Uplink_RSSI）を決定する。次に、フェムトセルは、Ptx_max(Fi_dl) =電力調整ファクター ÷ ( UL_RSSI(Fi_ul) - No )のように、能動的なマクロユーザに対するビーコン干渉の影響を制限する許容可能なビーコン送信電力を計算する。ここで、Noはフェムトセルの雑音フロアである。異なる電力調整ファクターは異なるダウンリンク周波数で使用され得る。
【００６５】
電力調整ファクターは、 電力調整ファクター = Pdl_traffic_channel_est × Nt_macro_ul_estのように選択され、ここで、Pdl_traffic_channel_estは、マクロセルによって能動的なユーザに割り当てられるダウンリンクトラフィックチャネル電力の推定で、Nt_macro_ul_estは、アップリンクトラフィックによりアップリンクでマクロセルによる典型的な全ての受信信号の推定（熱雑音プラスセル内干渉とセル外干渉）である。
【００６６】
Pdl_traffic_channel_est推定は、ネットワークリッスン（network listen）機能およびダウンリンク・リンク割当て要求を使用して、マクロダウンリンクチャネル品質（例えば、マクロパイロットエネルギー）を測定することによって生成され得る。
【００６７】
代替として、マクロセル・ユーザに割り当てられたダウンリンクトラフィックチャネル電力は、最小の（Pdl_traffic_channel_min）および最大の送信電力（Pdl_traffic_channel_max）と同様に、マクロセルの合計のダウンリンク送信電力の情報に基づいて推定され、それは典型的にフェムトセルに（例えば、ネットワークプロビジョニング（network provisioning）により）利用可能である。例えば、フェムトセルは、Pdl_traffic_channel_min、Pdl_traffic_channel_max、またはこれらの最小および最大の値の平均と等しいPdl_traffic_channel_estをセットし得る。最小値Pdl_traffic_channel_minにPdl_traffic_channel_estをセットすることは、低減されたビーコン送信を犠牲にしてビーコン送信の干渉影響を著しく制限し得る。
【００６８】
同様に、Nt_macro_ul_estは、基準マクロアップリンクトラフィックに基づいてフェムトセルに提供されるか、またはフェムトセルは、基準マクロアップリンクトラフィック状態およびアップリンク・リンク割当て要求に基づいてそれ自身でこの値を推定し得る。
【００６９】
最後に、Ptx_current(Fi_dl) > Ptx_max(Fi_dl)の場合、その後、フェムトセルは、周波数Fi_dlでそのビーコン送信電力をPtx_max(Fi_dl)レベルに低減する。そうでなければ、フェムトセルは現在の電力レベルでそのビーコンを送信し続ける。留意すべきは、Ptx_max(Fi_dl)が最小の送信電力レベルより小さい場合、その後、フェムトセルは完全に送信を停止する。前述されるように、アップリンクＲＳＳＩが閾値以下になるか、または終了のための他の基準が有効になってからフェムトセルは送信制限を終了する。
【００７０】
図１３は、ここに教示されるような送信制御関連の動作を実行するためにアクセスポイント１３０２（例えば、アクセスポイント１０４に対応する）のようなノードに組み込まれ得る、（対応ブロックによって表わされた）いくつかのサンプルコンポーネントを図示する。記述されたコンポーネントは、さらに通信システムで他のノードに組み込まれ得る。例えば、システムにおける他のノードは、同様の機能を提供するアクセスポイント１３０２のために記述されたものと同様のコンポーネントを含む。さらに、任意のノードは、１つまたは複数の記述されたコンポーネントを含む。例えば、アクセスポイントは、アクセスポイントが多重キャリアおよび／または異なる技術により通信することを可能にする多重の送受信機コンポーネントを含む。
【００７１】
図１３に示されるように、アクセスポイント１３０２は他のノードと通信する送受信機１３０４を含む。送受信機１３０４は、信号（例えば、ビーコン、メッセージ、指示）を送信する送信機１３０６、および信号（例えば、メッセージ、指示、パイロット信号）を受信する受信機１３０８を含む。
【００７２】
アクセスポイント１３０２は、さらに他のノード（例えば、ネットワークエンティティ）と通信するネットワークインタフェース１３１０を含む。例えば、ネットワークインタフェース１３１０は、有線または無線バックホールにより１つまたは複数のネットワークエンティティと通信するように構成される。いくつかの態様では、ネットワークインタフェース１３１０は、有線または無線の通信をサポートするために構成される送受信機（例えば、送信機および受信機コンポーネントを含む）として実装され得る。従って、図１３の例では、ネットワークインタフェース１３１０は、送信機１３１２および受信機１３１４を含むように示される。
【００７３】
アクセスポイント１３０２は、ここに教示されるような送信制御関連の動作と共に使用され得る他のコンポーネントを含む。例えば、アクセスポイント１３０２は、アクセス端末の検出を管理し（例えば、アクセス端末を検出すること、ダウンリンクキャリア周波数を識別すること、タイミングを同期すること、閾値を決定すること、アクセスポイントがアクセス端末のためにサービスを提供することを決定すること、受信信号強度を測定すること、測定された受信信号強度は閾値より小さいまたは等しいことを決定すること）、ここに教示されるような他の関連する機能を提供する検出コントローラ１３１６を含む。いくつかの実装では、検出コントローラ１３１６の機能のうちのいくつかまたは全ては、受信機１３０８に実装され得る。アクセスポイント１３０２は、さらに送信を制御し（例えば送信の制限を終了する、制限する送信）、ここに教示されるような他の関連する機能を提供する送信コントローラ１３１８を含み得る。いくつかの実装では、送信コントローラ１３１６の機能のうちのいくつかまたは全ては、送信機１３０６に実装され得る。さらに、アクセスポイント１３０２は、情報（例えば、指示、測定値等）を維持するメモリコンポーネント１３２０（例えば、メモリデバイスを含む）を含む。
【００７４】
便宜上、アクセスポイント１３０２は、ここに記述された様々な例において使用され得るコンポーネントを含むように図１３に示される。実際上、これらのブロックの１つまたは複数の機能は、異なる実施形態において異なり得る。例えば、ブロック１３１６の機能は、図４に従って実装される実施形態と比較すると、図３に従って実装される実施形態において異なる。
【００７５】
図１３のコンポーネントは様々な方法で実装され得る。いくつかの実装では、図１３のコンポーネントは、例えば、１つまたは複数のプロセッサ、および／または（１つまたは複数のプロセッサを含む）１つまたは複数のＡＳＩＣのような、１つまたは複数の回路で実装され得る。ここで、各回路（例えば、プロセッサ）は、この機能を提供するために回路によって使用される情報または実行可能コードを格納するデータメモリを使用しおよび／または組み込まれる。例えば、ブロック１３０４および１３１０によって表される機能のいくつか、および、ブロック１３１６−１３２０によって表される機能のいくつかまたは全ては、アクセスポイントの１つまたは複数のプロセッサ、およびアクセスポイントのデータメモリによって（例えば、適切なコードの実行によって、および／またはプロセッサコンポーネントの適切な構成によって）実装され得る。
【００７６】
上記で議論されるように、いくつかの態様で、ここでの教示は、マクロスケールカバレッジ（macro scale coverage）（例えば、３Ｇネットワークのような広いエリセルラーネットワーク、典型的にはマクロセルネットワークまたはＷＡＮを指す）、およびより小さいスケールカバレッジ（例えば、家庭またはビルのネットワーク環境、典型的にはＬＡＮを指す）を含むネットワークで用いられ得る。アクセス端末（ＡＴ）はそのようなネットワークを通って移動するとともに、アクセス端末はマクロカバレッジを提供するアクセスポイントによって特定の位置でサービスされ、アクセス端末はより小さいスケールカバレッジを提供するアクセスポイントによって他の位置でサービスされ得る。いくつかの態様では、より小さなカバレッジノードは、増加のキャパシティ増大、建物内カバレッジおよび異なるサービス（例えば、より多くの強いユーザ経験）を提供するために使用され得る。
【００７７】
ここでの説明では、比較的大きなエリアでカバレッジを提供するノード（例えば、アクセスポイント）は、マクロ・アクセスポイントと呼ばれ、比較的小さなエリアでカバレッジを提供するノード（例えば、家庭）は、フェムト・アクセスポイントと呼ばれる。ここの教示が他のタイプのカバレッジエリアに関連したノードに適用可能であることは認識されるであろう。例えば、ピコ・アクセスポイントは、マクロエリアより小さく、フェムトエリアより大きなエリアでカバレッジ（例えば、商業ビル内カバレッジ）を提供する。様々な出願では、他の用語はマクロ・アクセスポイント、フェムト・アクセスポイント、または他のアクセスポイントタイプノード（access point-type nodes）を指すために使用され得る。例えば、マクロ・アクセスポイントは、アクセスノード、基地局、アクセスポイント、ｅＮｏｄｅＢ、マクロセル等として構成されるか、または呼ばれる。さらに、フェムト・アクセスポイントは、ホームＮｏｄｅＢ、ホームｅＮｏｄｅＢ、アクセスポイント基地局、フェムトセル等として構成されるか、または呼ばれる。いくつかの実装では、ノードは１つまたは複数のセルまたはセクターと関連付けられ得る（例えば、みなされ、または分けられる）。マクロ・アクセスポイント、フェムト・アクセスポイント、またはピコ・アクセスポイントに関連付けられたセルまたはセクターは、それぞれマクロセル、フェムトセル、またはピコセルと呼ばれ得る。
【００７８】
図１４は、多くのユーザをサポートするように構成され、ここでの教示が実装され得る無線通信システム１４００を示す。システム１４００は、例えば、マクロセル１４０２A−１４０２Gのような多重セル１４０２に通信を提供し、各セルは、対応するアクセスポイント１４０４（例えば、アクセスポイント１４０４A−１４０４G）によってサービスされる。図１４に示されるように、アクセス端末１４０６（例えば、アクセス端末１４０６A−１４０６L）は、時間経過とともにシステム中の様々な位置で分散し得る。各アクセス端末１４０６は、任意の時間で順方向リンク（ＦＬ）および／または逆方向リンク（RL）で１つまたは複数のアクセスポイント１４０４で通信し、例えば、アクセス端末１４０６がアクティブかどうかおよびそれがソフトハンドオフ状態かどうかによる。無線通信システム１４００は、大きな地理的な領域でサービスを提供し得る。例えば、マクロセル１４０２A−１４０２Gは、隣接する少数のブロックまたは田舎の環境の数マイルをカバーする。
【００７９】
図１５は、１つまたは複数のフェムト・アクセスポイントがネットワーク環境に配置される典型的な通信システム１５００を示す。具体的には、システム１５００は、比較的小規模ネットワーク環境に（例えば、１つまたは複数のユーザ居住地１５３０に）導入された多重フェムト・アクセスポイント１５１０（例えば、フェムト・アクセスポイント１５１０Ａおよび１５１０Ｂ）を含む。各フェムト・アクセスポイント１５１０は、ＤＳＬルーター、ケーブルモデム、無線リンクまたは他の接続手段（図示せず）を介して広域ネットワーク１５４０（例えば、インターネット）およびモバイルオペレータコアネットワーク（mobile operator core network）１５５０につながり得る。以下で議論されるように、各フェムト・アクセスポイント１５１０は関連するアクセス端末１５２０（例えば、アクセス端末１５２０Ａ）、および任意に他の（例えば、ハイブリッド（hybrid）または外部の）アクセス端末１５２０（例えば、アクセス端末１５２０Ｂ）にサービスするように構成され得る。言い換えれば、フェムト・アクセスポイント１５１０へのアクセスは制限され、それにより任意のアクセス端末１５２０は、１セットの指定の（例えば、ホーム）フェムト・アクセスポイント（ｓ）１５１０によってサービスされるが、いかなる非指定のフェムト・アクセスポイント１５１０（例えば、隣接するフェムト・アクセスポイント１５１０）によってもサービスされない。
【００８０】
図１６は、いくつかのトラッキングエリア１６０２（またはルーティングエリア、またはロケーションエリア）が定義され、いくつかのマクロ・カバレッジエリア１６０４を含むカバレッジ地図１６００の例を示す。ここで、トラッキングエリア１６０２Ａ、１６０２Ｂ、および１６０２Ｃに関連したカバレッジのエリアは太線で示され、マクロ・カバレッジエリア１６０４はより大きな六角形で表わされる。トラッキングエリア１６０２はさらにフェムト・カバレッジエリア１６０６を含む。この例において、フェムト・カバレッジエリア１６０６（例えば、フェムト・カバレッジビスエリア１６０６Ｂおよび１６０６Ｃ）のそれぞれは、１つまたは複数のマクロ・カバレッジエリア１６０４（例えば、マクロ・カバレッジエリア１６０４Ａおよび１６０４Ｂ）内に描かれる。しかし、フェムト・カバレッジエリア１６０６のうちのいくつかまたは全てはマクロ・カバレッジエリア１６０４内にないこともあり得ることは認識されるであろう。実際上、フェムト・カバレッジエリア１６０６（例えば、フェムト・カバレッジエリア１６０６Ａおよび１６０６Ｄ）の多くは、与えられたトラッキングエリア１６０２またはマクロ・カバレッジエリア１６０４内に定義され得る。さらに、１つまたは複数のピコ・カバレッジエリア（図示せず）は、与えられたトラッキングエリア１６０２またはマクロ・カバレッジエリア１６０４内に定義され得る。
【００８１】
図１５を再び参照し、フェムト・アクセスポイント１５１０のオーナー（owner）は、例えば、モバイルオペレータコアネットワーク１５５０を通じて提供される、３Ｇモバイルサービスのようなモバイルサービスに加入する。さらに、アクセス端末１５２０は、マクロ環境、およびより小規模の（例えば、家庭の）ネットワーク環境において動作することができる。言い換えれば、アクセス端末１５２０の現在の位置によって、モバイルオペレータコアネットワーク１５５０に関連したマクロセル・アクセスポイント１５６０によって、または１セットのフェムト・アクセスポイント１５１０のうちの任意の１つ（例えば、対応するユーザ居住地１５３０内に存在するフェムト・アクセスポイント１５１０Ａおよび１５１０Ｂ）によってアクセス端末１５２０はサービスされ得る。例えば、加入者は家の外にいるとき、加入者は標準のマクロ・アクセスポイント（例えば、アクセスポイント１５６０）によってサービスされ、加入者が家にいるとき、加入者はフェムト・アクセスポイント（例えば、アクセスポイント１５１０Ａ）によってサービスされる。ここで、フェムト・アクセスポイント１５１０はレガシー（legacy）・アクセス端末１５２０と後方互換性があり得る。
【００８２】
フェムト・アクセスポイント１５１０は、単一の周波数、または、代替として多重周波数で配置され得る。特定の構成に応じて、単一の周波数または１つ以上の多重周波数は、マクロ・アクセスポイント（例えば、アクセスポイント１５６０）によって使用される１つ以上の周波数と重複し得る。
【００８３】
いくつかの態様では、アクセス端末１５２０は、そのような接続が可能なときはいつでも、好ましいフェムト・アクセスポイント（例えば、アクセス端末１５２０のホーム・フェムト・アクセスポイント）へ接続するように構成され得る。例えば、アクセス端末１５２０Ａがユーザの居住地１５３０内にあるときはいつでも、アクセス端末１５２０Ａはホーム・フェムト・アクセスポイント１５１０Ａまたは１５１０Ｂとのみ通信することが望まれる。
【００８４】
いくつかの態様では、アクセス端末１５２０がマクロ・セルラーネットワーク１５５０内で動作するが、（例えば、好ましいローミングリストに定義されるような）最も好ましいネットワークに存在しない場合、アクセス端末１５２０は、より良いシステムが現在利用可能でその後にそのような好ましいシステムを得るかどうかを決定するために、利用可能なシステムを周期的にスキャンすることを含む、より良いシステム再選択（ＢＳＲ：better system reselection）手順を使用して、最も好ましいネットワーク（例えば、好ましいフェムト・アクセスポイント１５１０）を検索し続ける。アクセス端末１５２０は、特定の帯域およびチャネルの検索を制限し得る。例えば、１つまたは複数のフェムト・チャネルは定義され、それにより１つの領域内の全てのフェムト・アクセスポイント（または、全ての制限されたフェムト・アクセスポイント）は、フェムト・チャネル（ｓ）で動作する。最も好ましいシステムの検索は周期的に繰り返され得る。好ましいフェムト・アクセスポイント１５１０を発見すると、アクセス端末１５２０は、フェムト・アクセスポイント１５１０を選択し、カバレッジエリア内にいるときに使用のためそれを登録する。
【００８５】
フェムト・アクセスポイントへのアクセスはいくつかの態様で制限され得る。例えば、与えられたフェムト・アクセスポイントは、特定のアクセス端末へ特定のサービスを単に提供する。いわゆる制限された（または、閉じた）アクセスを備えた配置では、与えられたアクセス端末は、マクロセル・モバイルネットワーク、および定義された１つのセットのフェムト・アクセスポイント（例えば、対応するユーザ居住地１５３０内に存在するフェムト・アクセスポイント１５１０）によって単にサービスされ得る。いくつかの実装では、アクセスポイントは、シグナリング、データアクセス、レジストレーション、ページング、またはサービスのうちの少なくとも１つ、少なくとも１つのノード（例えば、アクセス端末）に提供しないように制限され得る。
【００８６】
いくつかの態様では、制限されたフェムト・アクセスポイント（それは閉じた加入者グループホームＮｏｄｅＢとも呼ばれ得る）は、制限された供給された１つのセットのアクセス端末へサービスを提供する。必要なときに、このセットは、一時的にまたは永続的に拡張され得る。いくつかの態様では、閉じた加入者グループ（ＣＳＧ：Closed Subscriber Group）は、アクセス端末の共通アクセス制御リストを共有するアクセスポイント（例えば、フェムト・アクセスポイント）のセットとして定義され得る。
【００８７】
様々な関係は、与えられたフェムト・アクセスポイントと与えられたアクセス端末との間にこのように存在し得る。例えば、アクセス端末の観点から、開いたフェムト・アクセスポイントは、無制限のアクセスを備えたフェムト・アクセスポイントを指す（例えば、フェムト・アクセスポイントは、任意のアクセス端末へのアクセスを許可する）。制限されたフェムト・アクセスポイントは、いくつかの方法で制限される（例えば、アクセスおよび／またはレジストレーションのために制限される）フェムト・アクセスポイントを指し得る。ホーム・フェムト・アクセスポイントは、アクセス端末がアクセスし動作するために認められるフェムト・アクセスポイントを指し得る（例えば、永続的なアクセスは、１つまたは複数のアクセス端末のうちの１つの定義されたセットに提供される）。ハイブリッド（またはゲスト）フェムト・アクセスポイントは、異なるアクセス端末が異なるサービスのレベルで提供されるフェムト・アクセスポイントを指し得る（例えば、いくつかのアクセス端末は部分的および／または一時的なアクセスが許容されるが、他のアクセス端末は全てのアクセスが許容され得る）。外部のフェムト・アクセスポイントは、緊急事態（例えば、９１１コール）を恐らく除いて、アクセス端末がアクセスするか、または動作することを認められないフェムト・アクセスポイントを指し得る。
【００８８】
制限されたフェムト・アクセスポイントの観点から、ホーム・アクセス端末は、アクセス端末のオーナーの家庭に導入される制限されたフェムト・アクセスポイントにアクセスすることを認められるアクセス端末を指し得る（通常、ホーム・アクセス端末は、そのフェムト・アクセスポイントに永続的なアクセスをする）。ゲスト・アクセス端末は、制限された（例えば、デッドライン、使用時間、バイト、接続数、または他の１つか複数の基準に基づいて制限された）フェムト・アクセスポイントへの一時的なアクセスを伴うアクセス端末を指し得る。外部のアクセス端末は、例えば、９１１コールのような緊急事態を恐らく除いて、制限されたフェムト・アクセスポイントにアクセスする許可がないアクセス端末（例えば、制限されたフェムト・アクセスポイントで登録するための証書や許可がないアクセス端末）を指す。
【００８９】
便宜上、ここでの開示はフェムト・アクセスポイントの環境に様々な機能を記述する。しかし、ピコ・アクセスポイントは、より大きなカバレッジエリアに、同じまたは同様の機能を提供し得ることは認識されるであろう。例えば、ピコ・アクセスポイントは制限され、ホーム・ピコ・アクセスポイントは与えられたアクセス端末等について定義される。
【００９０】
ここでの教示は、多重無線アクセス端末のための通信を同時にサポートする無線多元接続通信システムで用いられ得る。ここで、各端末は順方向および逆方向リンクで送信により１つまたは複数のアクセスポイントと通信し得る。順方向リンク（またはダウンリンク）は、アクセスポイントから端末への通信リンクを指し、逆方向リンク（またはアップリンク）は端末からアクセスポイントへの通信リンクを指す。この通信リンクは、単一入力単一出力システム、多入力多出力（ＭＩＭＯ）システム、または他のタイプのシステムにより確立され得る。
【００９１】
ＭＩＭＯシステムは、データ送信のために多重（NT個の）送信アンテナおよび多重（NR個の）受信アンテナを用いる。NT個の送信およびNR個の受信アンテナによって形成されたＭＩＭＯチャネルは、空間のチャネルとも呼ばれるNS個の独立したチャネルへ分解され、ここで、NS ≦ min{NT, NR}である。NS個の独立したチャネルのそれぞれは１つの次元に対応する。多重の送信および受信アンテナによって作られた追加の次元が用いられる場合、ＭＩＭＯシステムは改善された性能（例えば、より高いスループットおよび／またはより大きな信頼性）を提供し得る。
【００９２】
ＭＩＭＯシステムは時分割複信（ＴＤＤ）および周波数分割複信（ＦＤＤ）をサポートし得る。ＴＤＤシステムでは、順方向および逆方向リンク送信が同じ周波数領域にあるので、相互の法則は、逆方向リンクチャネルからの順方向リンクチャネルの推定を可能にする。このことは、複数のアンテナがアクセスポイントで利用可能なとき、アクセスポイントが順方向リンクで送信ビームフォーミング利得（transmit beam-forming gain）を抽出することを可能にする。
【００９３】
図１７は、サンプルＭＩＭＯシステム１７００のうち無線装置１７１０（例えば、アクセスポイント）および無線装置１７５０（例えば、アクセス端末）を示す。デバイス１７１０では、多くのデータストリームのためのトラフィックデータはデータソース１７１２から送信（ＴＸ）データプロセッサ１７１４へ提供される。その後、各データストリームはそれぞれの送信アンテナで送信され得る。
【００９４】
TXデータプロセッサ1714は、各データストリームのトラフィックデータを、当該データストリームに対し選択された特定のコーディングスキームに基づき、フォーマット、符号化、およびインタリーブして、符号化データを提供する。各データストリームの符号化データは、OFDM技術を使用してパイロットデータと多重化され得る。パイロットデータは、通常、既知の方法で処理される既知のデータパターンであり、チャネルレスポンスを推定するために受信機システムで使用され得る。各データストリームの多重化されたパイロット及び符号化データは、その後、当該データストリームに対し選択された特定の変調スキーム(例えばBPSK、QSPK、M-PSK、またはM-QAM)に基づいて変調されて(すなわち、シンボルマッピングされて)、変調シンボルを提供する。各データストリームのデータレート、符号化および変調は、プロセッサ1730によって実行される命令によって決定され得る。データメモリ１７３２はプログラムコード、データ、および、プロセッサ１７３０またはデバイス１７１０の他のコンポーネントによって使用される他の情報を記憶し得る。
【００９５】
全てのデータストリーム変調シンボルは、その後、TX MIMOプロセッサ1720へ提供され、ここで変調シンボル(例えば、OFDMに関する)がさらに処理される。TX MIMOプロセッサ1720は、その後、NT個の変調シンボルストリームをNT個の送受信機(XCVR) 1722Aから1722Tへ提供する。一態様では、TX MIMOプロセッサ1720は、データストリームのシンボルとシンボルが送信されるアンテナとにビームフォーミング重みを適用する。
【００９６】
各送受信機１７２２は、それぞれのシンボルストリームを受信および処理して、１つまたは複数のアナログ信号を提供し、さらにアナログ信号を調整して(例えば、増幅、フィルタリング、アップコンバート)、MIMOチャネルでの送信に適する変調信号を提供する。送受信機1722Aから1722TからのNT個の変調信号は、その後、NT個のアンテナ1724Aから1724Tでそれぞれ送信される。
【００９７】
デバイス１７５０では、送信された変調信号は、NR個のアンテナ1752A から1752Rによって受信され、各アンテナ1752からの受信信号は、それぞれの送受信機(XCVR) 1754Aから1754Rへ提供される。各送受信機1754はそれぞれの受信信号を調整し(例えば、フィルタリング、増幅、ダウンコンバート)、調整された信号をデジタル化してサンプルを提供し、サンプルをさらに処理して、対応する「受信された」シンボルストリームを提供する。
【００９８】
受信（RX）データプロセッサ1760は、その後、特定の受信機処理技術に基づいてNR個の送受信機1754からのNR個の受信シンボルストリームを受信および処理して、NT個の「検知された」シンボルストリームを提供する。RXデータプロセッサ1760は、その後、各検知されたシンボルストリームを復調、デインタリーブ、及びデコードして、データストリームのトラフィックデータを再生する。RXデータプロセッサ1760による処理は、デバイス1710でのTX MIMOプロセッサ1720およびTXデータプロセッサ1714によって実行されるものに相補的である。
【００９９】
プロセッサ1770は、そのプレコーディングマトリックス(pre-coding matrix)を使用するかを周期的に決定する（以下に議論される）。プロセッサ１７７０は、マトリックス・インデックス部分およびランク値部分を含む逆方向リンクメッセージを組み立てる。データメモリ１７７２はプログラムコード、データ、および、プロセッサ１７７０またはデバイス１７５０の他のコンポーネントによって使用される他の情報を記憶し得る。
【０１００】
逆方向リンクメッセージは、通信リンクおよび／または受信データストリームに関する様々なタイプの情報を含み得る。逆方向リンクメッセージは、その後、データソース1736からの多数のデータストリームのトラフィックデータも受信するTXデータプロセッサ1738によって処理され、変調器1780によって変調され、送受信機1754Aから1754Rによって調整され、およびデバイス1710へ返送される。
【０１０１】
デバイス1710では、デバイス1750からの変調信号は、アンテナ1724によって受信され、送受信機1722によって調整され、復調器（DEMOD）1740によって復調され、RXデータプロセッサ1742によって処理され、デバイス1750によって送信された逆方向リンクメッセージを抽出する。プロセッサ1730は、その後、そのプレコーディングマトリックスをビームフォーミング重みを決定するために使用するかを決定し、その後、抽出されたメッセージを処理する。
【０１０２】
図１７はさらに、通信コンポーネントがここで教示されるような送信制御を実行する１つまたは複数のコンポーネントを含み得ることを示す。例えば、送信制御コンポーネント１７９０は、プロセッサ１７３０および／またはデバイス１７１０の他のコンポーネントと共働して、ここに教示されるようにデバイス１７１０から他のデバイス（例えば、デバイス１７５０）への送信を制御する。各デバイス１７１０および１７５０について、記述されたコンポーネントのうちの２つ以上の機能が単一のコンポーネントによって提供され得ることが認識されるであろう。例えば、単一の処理コンポーネントは、プロセッサ１７３０および送信制御コンポーネント１７９０の機能を提供する。
【０１０３】
ここでの教示は様々なタイプの通信システムおよび／またはシステムコンポーネントに組み込まれ得る。いくつかの態様では、ここでの教示は、（例えば、１つまたは複数の帯域幅、送信電力、符号化、インタリーブ等を特定することによって）利用可能なシステムリソースを共有することにより、複数のユーザとの通信をサポートすることができる多元接続システムにおいて用いられ得る。例えば、ここでの教示は、以下技術：符号分割多元接続(ＣＤＭＡ)システム、マルチプルキャリアＣＤＭＡ（ＭＣＣＤＭＡ）、広帯域ＣＤＭＡ（Ｗ−ＣＤＭＡ）、高速パケット接続（ＨＳＰＡ、ＨＳＰＡ＋）システム、時間分割多元接続(ＴＤＭＡ)システム、周波数分割多元接続(ＦＤＭＡ)システム、シングルキャリアＦＤＭＡ（ＳＣ−ＦＤＭＡ）システム、直交周波数分割多元接続（ＯＦＤＭＡ）システム、または他の多元接続技術のうちの任意の１つまたは組合せに適用され得る。ここでの教示を用いる無線通信システムは、ＩＳ−９５、ｃｄｍａ２０００、ＩＳ−８５６、Ｗ−ＣＤＭＡ、ＴＤＳＣＤＭＡ、および他の規格のような１つまたは複数の規格を実現するように設計され得る。ＣＤＭＡネットワークは、ＵＴＲＡ（Universal Terrestrial Radio Access）、cdma2000、または他の技術のような無線技術を実現し得る。UTRAはW-CDMAおよび低チップレート(LCR)を含む。cdma2000はIS-2000、IS-95およびIS-856規格をカバーする。ＴＤＭＡネットワークは、ＧＳＭ（登録商標）（Global System for Mobile Communications）などのような無線技術を実現し得る。OFDMAネットワークは、E-UTRA（Evolved UTRA）、IEEE 802.11、IEEE 802.16、IEEE 802.20、フラッシュOFDMなどのような無線技術を実現し得る。UTRA、E-UTRA、およびGSMはUMTS（Universal Mobile Telecommunication System）の一部である。ここでの教示は、３ＧＰＰのＬＴＥ（Long Term Evolution）システム、ＵＭＢ（Ultra-Mobile Broadband)システム、および他のタイプのシステムで実現され得る。LTEは、リリースのE-UTRAを使用するUMTSである。UTRA、E-UTRA、GSM、UMTSおよびLTEは3GPP（3rd Generation Partnership Project）という組織からの文書に説明され、cdma2000は、3GPP2（3rd Generation Partnership Project 2）という名の組織からの文書に説明されている。開示の特定の態様は３ＧＰＰ用語を使用して説明されるが、ここでの教示は３ＧＰＰ２（例えば、１ｘＲＴＴ、１ｘＥＶ−ＤＯ Ｒｅｌ０、ＲｅｖＡ、ＲｅｖＢ）技術および他の技術と同様に３ＧＰＰ（例えば、Ｒｅ１９９、Ｒｅ１５、Ｒｅ１６、Ｒｅ１７）技術に適用され得ることが理解される。
【０１０４】
ここでの教示は、様々な装置（例えば、ノード）に組み込まれ得る（例えば、該装置内に実装されるか、または該装置によって実行される）。いくつかの態様では、ここでの教示に従って実現されるノード（例えば、無線ノード）は、アクセスポイントまたはアクセス端末を含み得る。
【０１０５】
例えば、アクセス端末は、ユーザ装置、加入者局、加入者ユニット、移動局、移動体、モバイルノード、遠隔局、遠隔端末、ユーザ端末、利用者エージェント、ユーザデバイス、または他の用語のように実現されるか、または知られる。いくつかの実装では、アクセス端末は、携帯電話、コードレス電話、セッション初期化プロトコル（ＳＩＰ：session initiation protocol）電話、ワイヤレス・ローカル・ループ（ＷＬＬ）局、ＰＤＡ（personal digital assistant）、無線接続能力を有する携帯用デバイス（handheld device）、または無線モデムに接続された他の適切な処理デバイス（processing device）を含み得る。従って、ここで教示される１つまたは複数の態様は、電話（例えば、携帯電話またはスマートフォン）、コンピュータ（例えば、ラップトップ）、ポータブル通信デバイス、ポータブルコンピューティングデバイス（例えば、個人データ補助（personal data assistant））、エンターテイメントデバイス（entertainment device）（例えば、音楽デバイス、ビデオデバイス、または衛星ラジオ）、全地球測位システムデバイス（global positioning system device）、または無線メディア（wireless medium）を介して通信するように構成される他の適切なデバイスに組み込まれ得る。
【０１０６】
アクセスポイントは、ＮｏｄｅＢ、ｅＮｏｄｅＢ、無線ネットワークコントローラ（ＲＮＣ：radio network controller）、基地局（ＢＳ）、無線基地局（ＲＢＳ）、基地局コントローラ（ＢＳＣ：base station controller）、ＢＴＳ（base transceiver station）、ＴＦ（transceiver function）、無線送受信機、無線ルーター、ＢＳＳ（basic service set）、ＥＳＳ（extended service set）、マクロセル、マクロノード、ホームｅＮＢ（ＨｅＮＢ）、フェムトセル、フェムト・ノード、ピコ・ノード、または他の同様の用語を含み、実現され、または知られる。
【０１０７】
いくつかの態様では、ノード（例えば、アクセスポイント）は、通信システムのためのアクセスノードを含み得る。そのようなアクセスノードは、例えば、ネットワークへの有線または無線通信リンクを介してネットワーク（例えば、インターネットまたはセルラーネットワークのような広域ネットワーク）のためのまたはへの接続性を提供し得る。従って、アクセスノードは、他のノード（例えば、アクセス端末）がネットワークにアクセスするかまたは他の機能を可能にし得る。さらに、ノード（ｓ）のうちの１つまたは両方は、ポータブル、またはある場合には比較的非ポータブルであることは認識されるであろう。
【０１０８】
さらに、無線ノードは、非無線の方法で（例えば、有線接続により）情報を送信および／または受信することができ得ることは認識されるであろう。従って、ここで議論されるような受信機および送信機は、非無線媒体（non-wireless medium）を介して通信するために適切な通信インタフェースコンポーネント（例えば、電気的または光学的なインタフェースコンポーネント）を含み得る。
【０１０９】
無線ノードは、適切な無線通信技術に基づく、またはさもなければサポートする１つまたは複数の無線通信リンクを介して通信し得る。例えば、いくつかの態様では、無線ノードはネットワークと関連付ける。いくつかの態様では、ネットワークはローカルエリアネットワークまたは広域ネットワークを含み得る。無線デバイスは、ここで議論されるような、１つまたは複数の様々な無線通信技術、プロトコル、または規格（例えば、CDMA, TDMA, OFDM, OFDMA, WiMAX, Wi-Fi等）をサポートするか、またはそうでなければ使用し得る。同様に、無線ノードは、１つまたは複数の様々な対応する変調または多重化スキームをサポートするか、またはそうでなければ使用し得る。無線ノードは、それ故に、上記または他の無線通信技術を使用して、１つまたは複数の無線通信リンクを介して確立し通信するための適切なコンポーネント（例えば、エアーインタフェース）を含み得る。例えば、無線ノードは、無線メディアでの通信を容易にする様々なコンポーネント（例えば、信号ジェネレータおよび信号プロセッサ）を含む関連する送信機および受信機コンポーネントを備えた無線送受信機を含む。
【０１１０】
ここに（例えば、１つまたは複数の添付図に関して）記述された機能は、添付された特許請求の範囲における機能のために同様に示される「手段」に、いくつかの態様で対応し得る。図１８を参照し、装置１８００は一連の相互関係がある機能モジュールとして表わされる。ここで、アクセス端末を検出するモジュール１８０２は、少なくともいくつかの態様で、例えばここに議論されるように検出コントローラに対応する。ダウンリンクキャリア周波数を識別するモジュール１８０４は、少なくともいくつかの態様で、例えばここに議論されるように検出コントローラに対応する。送信を制限するモジュール１８０６は、少なくともいくつかの態様で、例えばここに議論されるように送信コントローラに対応する。時刻を同期するモジュール１８０８は、少なくともいくつかの態様で、例えばここに議論されるように検出コントローラに対応する。閾値を決定するモジュール１８１０は、少なくともいくつかの態様で、例えばここに議論されるように検出コントローラに対応する。第１のアクセスポイントが、識別されたダウンリンクキャリア周波数でアクセス端末にサービスを提供することを決定するモジュール１８１２は、少なくともいくつかの態様で、例えばここに議論されるように検出コントローラに対応する。受信信号強度を測定するモジュール１８１４は、少なくともいくつかの態様で、例えばここに議論されるように検出コントローラに対応する。測定された受信信号強度が閾値以下であることを決定するモジュール１８１６は、少なくともいくつかの態様で、例えばここに議論されるように検出コントローラに対応する。送信の制限を終了するモジュール１８１８は、少なくともいくつかの態様で、例えばここに議論されるように送信コントローラに対応する。
【０１１１】
図１８のモジュールの機能は、ここでの教示と一致する様々な方法で実現され得る。いくつかの態様では、これらのモジュールの機能は１つまたは複数の電気的なコンポーネントとして実現され得る。いくつかの態様では、これらのブロックの機能は、１つまたは複数のプロセッサコンポーネントを含む処理システムとして実現され得る。いくつかの態様では、これらのモジュールの機能は、例えば、１つまたは複数の集積回路（integrated circuits）（例えば、ＡＳＩＣ）のうちの少なくとも１つの部分を使用して実現され得る。ここに議論されるように、集積回路はプロセッサ、ソフトウェア、他の関連するコンポーネント、またはそれらの組合せを含み得る。これらのモジュールの機能は、さらにここに教示されるような他の方法で実現され得る。
【０１１２】
In some aspects one or more of any dashed blocks in FIG. 18 are optional.
いくつかの態様では、図１８において、１つまたは複数のいかなるダッシュブロック（dashed blocks）もオプションである。
【０１１３】
「第１の」「第２の」等のように指定されるエレメントへの、ここでのどんな言及も、それらのエレメントの量または順を一般に限定しないことは理解されるであろう。むしろ、これらの名称は、２つ以上のエレメントまたはエレメントのインスタンス（instances）の間の違いを識別する便利な方法としてここに使用され得る。従って、第１と第２のエレメントへの言及は、２つのエレメントだけがそこで用いられ得るか、または第１のエレメントがいくつかの方法において第２のエレメントに優先しなければならないことを意味しない。さらに、もし述べられていなければ１セットのエレメントは１つまたは複数のエレメントを含み得る。さらに、明細書または特許請求の範囲で使用される「Ａ、ＢまたはＣのうち少なくとも１つ」という形の用語は、「ＡまたはＢまたはＣまたはこれらのエレメントの任意の組合せ」を意味する。
【０１１４】
当業者には、情報および信号は様々な異なる技術（technologies and techniques）のうちのいずれを使用して表わされ得ることは言うまでもない。例えば、上記説明全体を通して言及され得るデータ、命令、コマンド、情報、信号、ビット、シンボル、およびチップは、電圧、電流、電磁波、磁界または粒子、光場または粒子、またはそれら任意の組合せによって表され得る。
【０１１５】
当業者にはさらに、ここで開示された態様に関連して記述された様々な実例となる論理ブロック、モジュール、プロセッサ、手段、回路、およびアルゴリズムステップは、電子ハードウェア（例えば、ソースコーディングまたはいくつかの他の技術を使用して設計され得る、デジタル実装、アナログ実装、または２つの組合せ）、（ここで、便宜上、「ソフトウェア」または「ソフトウェアモジュール」と呼ばれ得る）命令を組み込む設計コードまたはプログラムの様々な形式、または両方の組合せとして実装され得ることは言うまでもない。ハードウェアおよびソフトウェアのこの互換性を明白に示すために、様々な実例となるコンポーネント、ブロック、モジュール、回路およびステップは、それらの機能に関して概ね上記で説明された。そのような機能がハードウェアまたはソフトウェアとして実装されるかどうかは、全体のシステムに課される設計制約および特定のアプリケーションに依存する。当業者は、各特定のアプリケーションのための様々な方法において説明される機能を実装し得るが、そのような実装決定は本発明の範囲から逸脱すると解釈されるべきでない。
【０１１６】
ここに開示された態様に関連して記述された様々な実例となる論理ブロック、モジュールおよび回路は、ＩＣ（integrated circuit）、アクセス端末またはアクセスポイントに実装または、によって実行され得る。ＩＣは、汎用プロセッサ、ＤＳＰ（digital signal processor）、ＡＳＩＣ（application specific integrated circuit）、ＦＰＧＡ（field programmable gate array）または他のＰＬＤ（programmable logic device）、個別のゲート（gate）またはトランジスタロジック（transistor logic）、個別のハードウェアコンポーネント、電気的なコンポーネント、光学的なコンポーネント、機械的なコンポーネント、またはここに記述された機能を実行するために設計された任意のそれらの組合せを含み、ＩＣ内部、ＩＣ外部、または両方に存在する命令またはコードを実行し得る。汎用プロセッサはマイクロプロセッサでもよいが、代案では、プロセッサは任意の従来のプロセッサ、コントローラ、マイクロコントローラまたはステートマシン（state machine）でもよい。プロセッサはまた、例えば、ＤＳＰとマイクロプロセッサの組合せ、複数のマイクロプロセッサ、ＤＳＰコア（core）と連結した１つまたは複数のマイクロプロセッサ、または他のそのような構成のような、コンピュータデバイスの組合せとして実現され得る。
【０１１７】
どんな特定のオーダーまたは任意の示されたプロセスのステップの階層も、サンプル・アプローチの例であることは理解される。設計の選択（preferences）に基づいて、処理におけるステップの特定の順序または体系は、本開示の範囲内で再調整され得ることは理解される。付随する方法は、一例の順序における様々なステップの本エレメントをクレームし、示された特定の順序または体系に限定されることを意味しない。
【０１１８】
１つまたは複数の典型的な実施形態では、記述された関数は、ハードウェア、ソフトウェア、ファームウェアまたはそれらの任意の組合せで実装され得る。ソフトウェアの中で実装されれば、関数は、１つまたは複数の命令としてまたはコンピュータ可読媒体でコードとして記憶されまたは送信され得る。コンピュータ可読媒体は、ある所から別の所へのコンピュータプログラムの転送を容易にする任意の媒体を含む通信媒体およびコンピュータ記憶媒体の両方を含む。記憶媒体はコンピュータによってアクセスすることができる任意の利用可能な媒体である。例として、また制限はなく、そのようなコンピュータ可読媒体には、ＲＡＭ、ＲＯＭ、ＥＥＰＲＯＭ、ＣＤ−ＲＯＭまたは他の光ディスク記憶装置、磁気ディスク記憶装置または他の磁気記憶装置、または所望のプログラムコードを命令またはデータ構造の形で伝送または記憶するために使用でき、コンピュータによってアクセスすることができる他の媒体を含む。任意の接続も適切にコンピュータ可読媒体と呼ばれる。例えば、同軸ケーブル、光ファイバケーブル、ツイストペア（twisted pair）、ＤＳＬ（digital subscriber line）、または赤外線、無線、およびマイクロ波のような無線技術を使用して、ウェブサイト、サーバ、または他のリモートソース（remote source）からソフトウェアが送信される場合、同軸ケーブル、光ファイバケーブル、ツイストペア、DSL、または赤外線、無線、およびマイクロ波のような無線技術は、媒体の定義に含まれる。ここで使用されるディスク（disk and disc）は、コンパクトディスク（CD）、レーザーディスク（登録商標）、光ディスク、DVD（digital versatile disc）、フロッピー（登録商標）ディスク、およびブルーレイ（登録商標）ディスクを含み、ディスク（disk）は通常磁気的にデータを再生し、ディスク（disc）はレーザーで光学的にデータを再生する。上記の組合せもコンピュータ可読媒体の範囲内で含まれるべきである。コンピュータ可読媒体は任意の適切なコンピュータプログラム製品において実現され得ることは認識されるべきであろう。
【０１１９】
開示された態様の上記説明は任意の当業者がこの開示を作るまたは使用できるように提供される。これらの態様の様々な変更は当業者には容易に明白となり、また、ここで定義される一般的な原理は、開示の範囲から逸脱せずに、他の態様に適用され得る。従って、本開示は、ここに示された態様に限定することを意図するものではなく、ここに開示された原理および新規な特徴と一致する最も広い範囲まで許容されることを意図する。
以下に、本願出願の当初の特許請求の範囲に記載された発明を付記する。
[Ｃ１]
通信の方法であって、
第１のアクセスポイントでアクセス端末を検出することと、
前記アクセス端末が第２のアクセスポイントから能動的に情報を受信するダウンリンクキャリア周波数を識別することと、
前記アクセス端末の前記検出の結果として、前記識別されたダウンリンクキャリア周波数で前記第１のアクセスポイントによる送信を制限することと、
を含む通信の方法。
[Ｃ２]
前記アクセス端末の前記検出は、前記アクセス端末が前記第１のアクセスポイントの近くであることを示す、Ｃ１の方法。
[Ｃ３]
前記アクセス端末の前記検出は、前記アクセス端末が前記ダウンリンクキャリア周波数で前記第１のアクセスポイントによって送信されるビーコンからの干渉に従うことを決定することを含む、Ｃ１の方法。
[Ｃ４]
前記アクセス端末の前記検出は、前記アクセス端末が前記第１のアクセスポイントからハンドオーバ中、またはハンドオーバされたことを決定することを含む、Ｃ１の方法。
[Ｃ５]
前記アクセス端末の前記検出は、
アップリンクキャリア周波数で受信信号強度を測定することと、
前記測定された受信信号強度を閾値と比較することと、
を含む、Ｃ１の方法。
[Ｃ６]
前記測定された受信信号強度が前記閾値より大きいまたは等しい場合、前記ダウンリンクキャリア周波数の前記識別は、前記アップリンクキャリア周波数と対になるダウンリンクキャリア周波数を識別することを含む、Ｃ５の方法。
[Ｃ７]
受信信号強度の前記測定の時刻をビーコン送信時刻と同期することをさらに含む、Ｃ５の方法。
[Ｃ８]
前記閾値を決定することをさらに含むＣ５の方法であって、前記閾値は、
前記第１のアクセスポイントと前記アクセス端末との間で許可されるパス損失、および
前記第２のアクセスポイントと通信するために前記アクセス端末によって使用される推定された送信電力、
に基づく、Ｃ５の方法。
[Ｃ９]
前記閾値を決定することをさらに含むＣ５の方法であって、前記閾値は、
時間期間内、前記アップリンクキャリア周波数で受信信号強度を測定することと、
前記時間期間内の受信信号強度の前記測定に基づいて基準受信信号強度を計算することと、
前記基準受信信号強度に基づいて前記閾値を決定することと、
によって決定される、Ｃ５の方法。
[Ｃ１０]
前記閾値を決定することをさらに含むＣ５の方法であって、前記閾値は、
前記アクセス端末が前記第１のアクセスポイントからハンドオーバされたことを決定することと、
前記アクセス端末がハンドオーバされた前記決定の結果として、前記アップリンクキャリア周波数で受信信号強度を測定することと、
前記アクセス端末がハンドオーバされた前記決定の結果として、受信信号強度の前記測定に基づく前記閾値を決定すること、
によって決定される、Ｃ５の方法。
[Ｃ１１]
前記アクセス端末の前記検出は、前記アクセス端末からパイロット信号を検出するために拡散コードを使用することを含む、Ｃ１の方法。
[Ｃ１２]
前記第１のアクセスポイントが前記識別されたダウンリンクキャリア周波数でアクセス端末にサービスを提供することを決定することをさらに含むＣ１の方法であって、前記アクセス端末の前記検出は、
前記ダウンリンクキャリア周波数に関連したアップリンクキャリア周波数でセル外干渉を測定することと、
前記セル外干渉を閾値と比較することと、
を含む、Ｃ１の方法。
[Ｃ１３]
送信の前記制限は、前記識別されたダウンリンクキャリア周波数で前記第１のアクセスポイントによるビーコン送信を一時的に制限することを含む、Ｃ１の方法。
[Ｃ１４]
送信の前記制限は、前記識別されたダウンリンクキャリア周波数で前記第１のアクセスポイントによって使用される送信電力を一時的に低減することを含む、Ｃ１の方法。
[Ｃ１５]
前記低減された送信電力についての最大の送信電力値は、アップリンクキャリア周波数で受信信号強度の測定に基づいて特定される、Ｃ１４の方法。
[Ｃ１６]
送信の前記制限は、前記第１のアクセスポイントが前記識別されたダウンリンクキャリア周波数で信号を送信する周期性を低減することを含む、Ｃ１の方法。
[Ｃ１７]
送信の前記制限は、前記第１のアクセスポイントが前記識別されたダウンリンクキャリア周波数でビーコン信号を送信する頻度を低減することを含む、Ｃ１の方法。
[Ｃ１８]
送信の前記制限は、前記識別されたダウンリンクキャリア周波数で前記第１のアクセスポイントによる送信を一時的に中断することを含む、Ｃ１の方法。
[Ｃ１９]
送信の前記制限は、定義された時間期間行われる、Ｃ１の方法。
[Ｃ２０]
前記ダウンリンクキャリア周波数に関連したアップリンクキャリア周波数で受信信号強度を測定することと、
前記測定された受信信号強度が閾値より小さいまたは等しいことを決定することと、
前記測定された受信信号強度が前記閾値より小さいまたは等しい決定の結果として、送信の前記制限を終了することと、
をさらに含むＣ１の方法。
[Ｃ２１]
通信のための装置であって、
前記装置でアクセス端末を検出するように動作可能で、前記アクセス端末が能動的にアクセスポイントから情報を受信するダウンリンクキャリア周波数を識別するようにさらに動作可能な検出コントローラと、
前記アクセス端末の前記検出の結果として、前記識別されたダウンリンクキャリア周波数で前記装置による送信を制限するように動作可能な送信コントローラと、
を備える通信のための装置。
[Ｃ２２]
前記アクセス端末の前記検出は、前記アクセス端末が前記第１のアクセスポイントの近くであることを示す、Ｃ２１の装置。
[Ｃ２３]
前記アクセス端末の前記検出は、前記アクセス端末が前記ダウンリンクキャリア周波数で前記第１のアクセスポイントによって送信されるビーコンからの干渉に従うことを決定することを備える、Ｃ２１の装置。
[Ｃ２４]
前記アクセス端末の前記検出は、前記アクセス端末が前記第１のアクセスポイントからハンドオーバ中、またはハンドオーバされたことを決定することを備える、Ｃ２１の装置。
[Ｃ２５]
前記アクセス端末の前記検出は、
アップリンクキャリア周波数で受信信号強度を測定することと、
前記測定された受信信号強度を閾値と比較することと、
を備える、Ｃ２１の装置。
[Ｃ２６]
前記測定された受信信号強度が前記閾値より大きいまたは等しい場合、前記ダウンリンクキャリア周波数の前記識別は、前記アップリンクキャリア周波数と対になるダウンリンクキャリア周波数を識別することを備える、Ｃ２５の装置。
[Ｃ２７]
前記検出コントローラは、受信信号強度の前記測定の時刻をビーコン送信時刻と同期するようにさらに動作可能である、Ｃ２５の装置。
[Ｃ２８]
前記検出コントローラは、前記閾値を決定するようにさらに動作可能であって、前記閾値は、
前記アクセスポイントと前記アクセス端末との間で許可されるパス損失と、
前記第２のアクセスポイントと通信するために前記アクセス端末によって使用される推定された送信電力と
に基づく、Ｃ２５の装置。
[Ｃ２９]
前記検出コントローラは、前記閾値を決定するようにさらに動作可能であって、前記閾値は、
時間期間内、前記アップリンクキャリア周波数で受信信号強度を測定することと、
前記時間期間内の受信信号強度の前記測定に基づいて基準受信信号強度を計算することと、
前記基準受信信号強度に基づいて前記閾値を決定することと、
によって決定される、Ｃ２５の装置。
[Ｃ３０]
前記検出コントローラは、前記閾値を決定するようにさらに動作可能であって、前記閾値は、
前記アクセス端末が前記第１のアクセスポイントからハンドオーバされたことを決定することと、
前記アクセス端末がハンドオーバされた前記決定の結果として、前記アップリンクキャリア周波数で受信信号強度を測定することと、
前記アクセス端末がハンドオーバされた前記決定の結果として、受信信号強度の前記測定に基づく前記閾値を決定すること、
によって決定される、Ｃ２５の装置。
[Ｃ３１]
前記アクセス端末の前記検出は、前記アクセス端末からパイロット信号を検出するために拡散コードを使用することを備える、Ｃ２１の装置。
[Ｃ３２]
前記検出コントローラは、前記第１のアクセスポイントが前記識別されたダウンリンクキャリア周波数でアクセス端末にサービスを提供することを決定するようにさらに動作可能であり、
前記アクセス端末の前記検出は、
前記ダウンリンクキャリア周波数に関連したアップリンクキャリア周波数でセル外干渉を測定することと、前記セル外干渉を閾値と比較することとを含む、Ｃ２１の装置。
[Ｃ３３]
送信の前記制限は、前記識別されたダウンリンクキャリア周波数で前記第１のアクセスポイントによるビーコン送信を一時的に制限することを含む、Ｃ２１の装置。
[Ｃ３４]
送信の前記制限は、前記識別されたダウンリンクキャリア周波数で前記第１のアクセスポイントによって使用される送信電力を一時的に低減することを含む、Ｃ２１の装置。
[Ｃ３５]
前記低減された送信電力についての最大の送信電力値は、アップリンクキャリア周波数で受信信号強度の測定に基づいて特定される、Ｃ３４の装置。
[Ｃ３６]
送信の前記制限は、前記第１のアクセスポイントが前記識別されたダウンリンクキャリア周波数で信号を送信する周期性を低減することを含む、Ｃ２１の装置。
[Ｃ３７]
送信の前記制限は、前記第１のアクセスポイントが前記識別されたダウンリンクキャリア周波数でビーコン信号を送信する頻度を低減することを含む、Ｃ２１の装置。
[Ｃ３８]
送信の前記制限は、前記識別されたダウンリンクキャリア周波数で前記第１のアクセスポイントによる送信を一時的に中断することを含む、Ｃ２１の装置。
[Ｃ３９]
送信の前記制限は、定義された時間期間行われる、Ｃ２１の装置。
[Ｃ４０]
前記検出コントローラは、前記ダウンリンクキャリア周波数に関連したアップリンクキャリア周波数で受信信号強度を測定するようにさらに動作可能であり、
前記検出コントローラは、前記測定された受信信号強度が閾値より小さいまたは等しいことを決定するようにさらに動作可能であり、
前記送信コントローラは、前記測定された受信信号強度が前記閾値より小さいまたは等しい決定の結果として、送信の前記制限を終了するようにさらに動作可能である、
Ｃ２１の装置。
[Ｃ４１]
通信のための装置であって、
前記装置でアクセス端末を検出する手段と、
前記アクセス端末がアクセスポイントから能動的に情報を受信するダウンリンクキャリア周波数を識別する手段と、
前記アクセス端末の前記検出の結果として、前記識別されたダウンリンクキャリア周波数で前記装置による送信を制限する手段と、
を備える通信のための装置。
[Ｃ４２]
前記アクセス端末の前記検出は、前記アクセス端末が前記第１のアクセスポイントからハンドオーバ中、またはハンドオーバされたことを決定することを備える、Ｃ４１の装置。
[Ｃ４３]
前記アクセス端末の前記検出は、
アップリンクキャリア周波数で受信信号強度を測定することと、
前記測定された受信信号強度を閾値と比較することと、
を備える、Ｃ４１の装置。
[Ｃ４４]
前記測定された受信信号強度が前記閾値より大きいまたは等しい場合、前記ダウンリンクキャリア周波数の前記識別は、前記アップリンクキャリア周波数と対になるダウンリンクキャリア周波数を識別することを備える、Ｃ４３の装置。
[Ｃ４５]
送信の前記制限は、前記識別されたダウンリンクキャリア周波数で前記第１のアクセスポイントによるビーコン送信を一時的に制限することを備える、Ｃ４１の装置。
[Ｃ４６]
送信の前記制限は、前記識別されたダウンリンクキャリア周波数で前記第１のアクセスポイントによって使用される送信電力を一時的に低減することを備える、Ｃ４１の装置。
[Ｃ４７]
送信の前記制限は、前記第１のアクセスポイントが前記識別されたダウンリンクキャリア周波数でビーコン信号を送信する頻度を低減することを備える、Ｃ４１の装置。
[Ｃ４８]
送信の前記制限は、前記識別されたダウンリンクキャリア周波数で前記第１のアクセスポイントによる送信を一時的に中断することを備える、Ｃ４１の装置。
[Ｃ４９]
送信の前記制限は、定義された時間期間行われる、Ｃ４１の装置。
[Ｃ５０]
前記ダウンリンクキャリア周波数に関連したアップリンクキャリア周波数で受信信号強度を測定する手段と、
前記測定された受信信号強度が閾値より小さいまたは等しいことを決定する手段と、
前記測定された受信信号強度が前記閾値より小さいまたは等しい決定の結果として、送信の前記制限を終了する手段と、
をさらに備えるＣ４１の装置。
[Ｃ５１]
コンピュータプログラム製品であって、
コンピュータに、
第１のアクセスポイントでアクセス端末を検出させ、
前記アクセス端末が第２のアクセスポイントから能動的に情報を受信するダウンリンクキャリア周波数を識別させ、
および、前記アクセス端末の前記検出の結果として、前記識別されたダウンリンクキャリア周波数で前記第１のアクセスポイントによる送信を制限させる
コードを含むコンピュータ可読媒体、を含むコンピュータプログラム製品。
[Ｃ５２]
前記アクセス端末の前記検出は、前記アクセス端末が前記第１のアクセスポイントからハンドオーバ中、またはハンドオーバされたことを決定することを備える、Ｃ５１のコンピュータプログラム製品。
[Ｃ５３]
前記アクセス端末の前記検出は、
アップリンクキャリア周波数で受信信号強度を測定することと、
前記測定された受信信号強度を閾値と比較することと、
を含む、Ｃ５１のコンピュータプログラム製品。
[Ｃ５４]
前記測定された受信信号強度が前記閾値より大きいまたは等しい場合、前記ダウンリンクキャリア周波数の前記識別は、前記アップリンクキャリア周波数と対になるダウンリンクキャリア周波数を識別することを含む、Ｃ５３のコンピュータプログラム製品。
[Ｃ５５]
送信の前記制限は、前記識別されたダウンリンクキャリア周波数で前記第１のアクセスポイントによるビーコン送信を一時的に制限することを含む、Ｃ５１のコンピュータプログラム製品。
[Ｃ５６]
送信の前記制限は、前記識別されたダウンリンクキャリア周波数で前記第１のアクセスポイントによって使用される送信電力を一時的に低減することを含む、Ｃ５１のコンピュータプログラム製品。
[Ｃ５７]
送信の前記制限は、前記第１のアクセスポイントが前記識別されたダウンリンクキャリア周波数でビーコン信号を送信する頻度を低減することを含む、Ｃ５１のコンピュータプログラム製品。
[Ｃ５８]
送信の前記制限は、前記識別されたダウンリンクキャリア周波数で前記第１のアクセスポイントによる送信を一時的に中断することを含む、Ｃ５１のコンピュータプログラム製品。
[Ｃ５９]
送信の前記制限は、定義された時間期間行われる、Ｃ５１のコンピュータプログラム製品。
[Ｃ６０]
前記コンピュータ可読媒体は、前記コンピュータに、
前記ダウンリンクキャリア周波数に関連したアップリンクキャリア周波数で受信信号強度を測定させ、
前記測定された受信信号強度が閾値より小さいまたは等しいことを決定させ、
および、前記測定された受信信号強度が閾値より小さいまたは等しい決定の結果として、送信の前記制限を終了させる
コードをさらに含む、Ｃ５１のコンピュータプログラム製品。
【図１】
0005571194.tif 000002
【図２】
0005571194.tif 000003
【図３】
0005571194.tif 000004
【図４】
0005571194.tif 000005
【図５】
0005571194.tif 000006
【図６】
0005571194.tif 000007
【図７】
0005571194.tif 000008
【図８】
0005571194.tif 000009
【図９】
0005571194.tif 000010
【図１０】
0005571194.tif 000011
【図１１】
0005571194.tif 000012
【図１２】
0005571194.tif 000013
【図１３】
0005571194.tif 000014
【図１４】
0005571194.tif 000015
【図１５】
0005571194.tif 000016
【図１６】
0005571194.tif 000017
【図１７】
0005571194.tif 000018
【図１８】
0005571194.tif 000019